(57)【要約】（ａ）（ｉ）側壁、大寸頂部および小寸端部を備えると共に截頭円錐形状を有する外側カップ（１１）であって、上記端部は底壁部（１４）により閉成かつ密閉されると共に上記頂部は開口（１５）された外側カップ（１１）と、（ｉｉ）側壁（１３）、大寸頂部および小寸端部を備えると共に截頭円錐形状を有する内側カップ（１２）であって、上記端部は底壁部（１７）により閉成かつ密閉された内側カップ（１２）と、を備えた二重壁カップ・アセンブリであって、（ｉｉｉ）上記内側カップは、上記各底壁部間に間隙（２０）を生成すべく上記外側カップ内に受容可能に構成された、二重壁カップ・アセンブリを備え；且つ、（ｂ）当該カップ・アセンブリは幼児用溢流防止カップである；開口端部（１５）を有するカップ・アセンブリ（１０）。
2004524882.tif 000002
【特許請求の範囲】
【請求項１】
（ａ）側壁、大寸頂部および小寸端部を備えると共に截頭円錐形状を有する外側カップであって、上記端部は底壁部により閉成かつ密閉されると共に上記頂部は開口された外側カップと、
（ｂ）側壁、大寸頂部および小寸端部を備えると共に截頭円錐形状を有する内側カップであって、上記端部は底壁部により閉成かつ密閉された内側カップと、
（ｃ）上記内側カップは、上記外側カップの内側面および該内側カップの外側面の各側壁間に且つ上記各底壁部間に間隙を生成すべく上記外側カップ内に受容可能に構成され；上記各カップ間の上記間隙は本質的に閉鎖され且つ負圧により構成され、
（ｄ）上記外側カップの上記頂端部が上記内側カップと合致係合する領域にて当該カップ・アセンブリの外側部分に配置された重ね成形リングと、
を備えて成る、開口端部を有する二重壁カップ・アセンブリ。
【請求項２】
（ｅ）前記外側カップの前記頂端部が前記内側カップの前記外側面に合致係合する領域において上記内側カップの外側面上に在る複数の通気溝であって、上記内側および外側カップを結合するに必要な時間内に該内側および外側カップ間の空気が十分に排除される如く個々の通気溝は十分な個数および十分なサイズである複数の通気溝を更に備えて成る、請求項１記載の二重壁カップ・アセンブリ。
【請求項３】
当該カップ・アセンブリは幼児用溢流防止カップの形態であり、
該カップは該カップ上に着脱式にキャップを取付けるべく外部螺条形成された上端部を有し、
上記キャップは垂下カラーを有し、
上記カラーは、上記カップの上記螺条形成上端部に螺着係合され得る内側螺条を有し、
上記カラーは、上記螺条と同心的に且つ該螺条の内側にて上記キャップの円周方向に延在する内側フランジを含み、
上記キャップはその一側から上方に突出する飲み口を有し、
該飲み口は上記キャップと一体的に形成されると共に、該飲み口の外方突出尖端へと収束する概略的に弧状の前後壁部を含む、
請求項２記載の二重壁カップ・アセンブリ。
【請求項４】
以下の段階を備えて成る、二重壁カップ・アセンブリの製造方法：
（ａ）射出成形プロセスによりひとつの成形型内で内側カップおよび外側カップの両者を成形する段階、
（ｂ）上記成形型を開くと共に上記内側カップに対応する成形型断片を上記外側カップに対応する成形型断片に整列する段階、
（ｃ）上記各カップが合致係合する如く、且つ、上記外側カップの内側面および上記内側カップの外側面の各側壁間および上記内側および外側カップの各底壁部間の間隙であって本質的に閉鎖された間隙を形成する如く、上記成形型を十分に閉じる段階、
（ｄ）上記カップ・アセンブリに装着される重ね成形リングであって、上記外側カップの頂端部が上記内側カップと合致係合する領域において上記カップ・アセンブリの外側部分に配置されて上記間隙を密閉すると共に上記カップ・アセンブリに対して収縮嵌装を構成する重ね成形リングを成形する段階、および、
（ｅ）上記成形型を開いて該成形型から上記カップ・アセンブリを排出する段階。
【請求項５】
前記カップ・アセンブリが前記成形型内に在る間であり且つ前記重ね成形リングを上記カップ・アセンブリに装着する前に、上記内側および外側カップ間の空気であって上記内側および外側カップを結合するに必要な時間内に十分に排除されるべき空気を吸引するに十分なサイズである負圧を上記内側および外側カップ間の前記間隙に付与するという付加的段階を備える、請求項４記載の方法。
【請求項６】
前記成形型は前記材料が完全に硬化する前に段階（ｃ）において閉じられる、請求項５記載の方法。
【請求項７】
開口端部を有する二重壁カップ・アセンブリであって、該二重壁カップ・アセンブリは、
（ａ）側壁、大寸頂部および小寸端部を備えると共に截頭円錐形状を有する外側カップであって、上記端部は底壁部により閉成かつ密閉されると共に上記頂部は開口された外側カップと、
（ｂ）側壁、大寸頂部および小寸端部を備えると共に截頭円錐形状を有する内側カップであって、上記端部は底壁部により閉成かつ密閉された内側カップと、
を備え、
（ｃ）上記内側カップは、上記外側カップの内側面および該内側カップの外側面の各側壁間に且つ上記各底壁部間に間隙を生成すべく上記外側カップ内に受容可能に構成され；上記各カップ間の上記間隙は本質的に閉鎖されており、且つ、
（ｄ）室温および冷蔵温度の両方における高い耐衝撃性；高い断熱特性；および優れた皿洗い機耐性；を有するべく上記内側および外側カップは十分に合致係合される、
二重壁カップ・アセンブリ。
【請求項８】
以下の段階を備えて成る、二重壁カップ・アセンブリの製造方法：
（ａ）射出成形プロセスにより成形型内で内側カップおよび外側カップを成形する段階、
（ｂ）上記成形型を開くと共に上記内側カップに対応する成形型断片を上記外側カップに対応する成形型断片に整列する段階、
（ｃ）上記各カップが合致係合する如く、且つ、上記外側カップの内側面および上記内側カップの外側面の各側壁間および上記内側および外側カップの各底壁部間の間隙であって本質的に閉鎖された間隙を形成する如く、上記成形型を十分に閉じる段階、
（ｄ）上記成形型を開いて該成形型から上記カップ・アセンブリを排出する段階、および、
（ｅ）上記カップ・アセンブリに装着される重ね成形リングであって、上記外側カップの頂端部が上記内側カップと合致係合する領域において上記外側カップの外側部分に配置されて上記間隙を密閉すると共に上記カップ・アセンブリに対して収縮嵌装を構成する重ね成形リングを成形する段階。
【請求項９】
開口端部を有するカップ・アセンブリであって、該カップ・アセンブリは、
（ａ）（ｉ）側壁、大寸頂部および小寸端部を備えると共に截頭円錐形状を有する外側カップであって、上記端部は底壁部により閉成かつ密閉されると共に上記頂部は開口された外側カップと、（ｉｉ）側壁、大寸頂部および小寸端部を備えると共に截頭円錐形状を有する内側カップであって、上記端部は底壁部により閉成かつ密閉された内側カップとを備えた二重壁カップ・アセンブリであって、（ｉｉｉ）上記内側カップは、上記外側カップの内側面および該内側カップの外側面の各側壁間に且つ上記各底壁部間に間隙を生成すべく上記外側カップ内に受容可能に構成される二重壁カップ・アセンブリ、
を備え、
（ｂ）当該カップ・アセンブリは該カップ・アセンブリ上に着脱式にキャップを取付けるべく外部螺条形成された上端部を有する幼児用溢流防止カップの形態であり、上記キャップは垂下カラーを有し、上記カラーは、上記カップの上記螺条形成上端部に螺着係合され得る内側螺条を有し、上記カラーは、上記螺条と同心的に且つ該螺条の内側にて上記キャップの円周方向に延在する内側フランジを含み、上記キャップはその一側から上方に突出する飲み口を有し、該飲み口は上記キャップと一体的に形成されると共に、該飲み口の外方突出尖端へと収束する前後壁部を含み、且つ、
（ｃ）上記二重壁アセンブリは、カップ断熱試験方法により試験されたときに同等の単一壁カップと比較して２１．１℃（７０°Ｆ）に到達するために当該カップ・アセンブリが少なくとも約１００分を要する如く十分な断熱機能を提供する、
カップ・アセンブリ。
【請求項１０】
開口端部を有するカップ・アセンブリであって、該カップ・アセンブリは、
（ａ）（ｉ）側壁、大寸頂部および小寸端部を備えると共に截頭円錐形状を有する外側カップであって、上記端部は底壁部により閉成かつ密閉されると共に上記頂部は開口された外側カップと、（ｉｉ）側壁、大寸頂部および小寸端部を備えると共に截頭円錐形状を有する内側カップであって、上記端部は底壁部により閉成かつ密閉された内側カップとを備えた二重壁カップ・アセンブリであって、（ｉｉｉ）上記内側カップは、上記外側カップの内側面および該内側カップの外側面の各側壁間に且つ上記各底壁部間に間隙を生成すべく上記外側カップ内に受容可能に構成される二重壁カップ・アセンブリ、
を備え、
（ｂ）当該カップ・アセンブリは該カップ・アセンブリ上に着脱式にキャップを取付けるべく外部螺条形成された上端部を有する幼児用溢流防止カップの形態であり、上記キャップは垂下カラーを有し、上記カラーは、上記カップの上記螺条形成上端部に螺着係合され得る内側螺条を有し、上記カラーは、上記螺条と同心的に且つ該螺条の内側にて上記キャップの円周方向に延在する内側フランジを含み、上記キャップはその一側から上方に突出する飲み口を有し、該飲み口は上記キャップと一体的に形成されると共に、該飲み口の外方突出尖端へと収束する前後壁部を含み、且つ、
（ｃ）上記二重壁アセンブリは、カップ断熱試験方法により試験されたときに同等の単一壁カップと比較して２１．１℃（７０°Ｆ）に到達するために当該カップ・アセンブリが少なくとも約２倍の時間を要する如く十分な断熱機能を提供する、
カップ・アセンブリ。
【請求項１１】
開口端部を有するカップ・アセンブリであって、該カップ・アセンブリは、
（ａ）（ｉ）側壁、大寸頂部および小寸端部を備えると共に截頭円錐形状を有する外側カップであって、上記端部は底壁部により閉成かつ密閉されると共に上記頂部は開口された外側カップと、（ｉｉ）側壁、大寸頂部および小寸端部を備えると共に截頭円錐形状を有する内側カップであって、上記端部は底壁部により閉成かつ密閉された内側カップとを備えた二重壁カップ・アセンブリであって、（ｉｉｉ）上記内側カップは、上記外側カップの内側面および該内側カップの外側面の各側壁間に且つ上記各底壁部間に間隙を生成すべく上記外側カップ内に受容可能に構成される二重壁カップ・アセンブリ、
を備え、
（ｂ）当該カップ・アセンブリは該カップ・アセンブリ上に着脱式にキャップを取付けるべく外部螺条形成された上端部を有する幼児用溢流防止カップの形態であり、上記キャップは垂下カラーを有し、上記カラーは、上記カップの上記螺条形成上端部に螺着係合され得る内側螺条を有し、上記カラーは、上記螺条と同心的に且つ該螺条の内側にて上記キャップの円周方向に延在する内側フランジを含み、上記キャップはその一側から上方に突出する飲み口を有し、該飲み口は上記キャップと一体的に形成されると共に、該飲み口の外方突出尖端へと収束する前後壁部を含み、且つ、
（ｃ）上記二重壁アセンブリは、落下試験法により試験されたときに当該カップ・アセンブリが亀裂形成も破壊もしない様に十分な衝撃強度を提供する、
カップ・アセンブリ。
【請求項１２】
開口端部を有するカップ・アセンブリであって、該カップ・アセンブリは、
（ａ）（ｉ）側壁、大寸頂部および小寸端部を備えると共に截頭円錐形状を有する外側カップであって、上記端部は底壁部により閉成かつ密閉されると共に上記頂部は開口された外側カップと、（ｉｉ）側壁、大寸頂部および小寸端部を備えると共に截頭円錐形状を有する内側カップであって、上記端部は底壁部により閉成かつ密閉された内側カップとを備えた二重壁カップ・アセンブリであって、（ｉｉｉ）上記内側カップは、上記外側カップの内側面および該内側カップの外側面の各側壁間に且つ上記各底壁部間に間隙を生成すべく上記外側カップ内に受容可能に構成される二重壁カップ・アセンブリ、
を備え、
（ｂ）当該カップ・アセンブリは該カップ・アセンブリ上に着脱式にキャップを取付けるべく外部螺条形成された上端部を有する幼児用溢流防止カップの形態であり、上記キャップは垂下カラーを有し、上記カラーは、上記カップの上記螺条形成上端部に螺着係合され得る内側螺条を有し、上記カラーは、上記螺条と同心的に且つ該螺条の内側にて上記キャップの円周方向に延在する内側フランジを含み、上記キャップはその一側から上方に突出する飲み口を有し、該飲み口は上記キャップと一体的に形成されると共に、該飲み口の外方突出尖端へと収束する前後壁部を含み、
（ｃ）上記二重壁アセンブリは、カップ断熱試験方法により試験されたときに同等の単一壁カップと比較して２１．１℃（７０°Ｆ）に到達するために当該カップ・アセンブリが少なくとも約２倍の時間を要する如く十分な断熱機能を提供し、且つ、
（ｄ）上記二重壁アセンブリは、落下試験法により試験されたときに当該カップ・アセンブリが亀裂形成も破壊もしない様に十分な衝撃強度を提供する、
カップ・アセンブリ。
【請求項１３】
開口端部を有するカップ・アセンブリであって、該カップ・アセンブリは、
（ａ）（ｉ）側壁、大寸頂部および小寸端部を備えると共に截頭円錐形状を有する外側カップであって、上記端部は底壁部により閉成かつ密閉されると共に上記頂部は開口された外側カップと、（ｉｉ）側壁、大寸頂部および小寸端部を備えると共に截頭円錐形状を有する内側カップであって、上記端部は底壁部により閉成かつ密閉された内側カップとを備えた二重壁カップ・アセンブリであって、（ｉｉｉ）上記内側および外側カップの側壁厚みは約１．２７ｍｍ乃至約１．５２４ｍｍ（約０．０５乃至約０．０６インチ）であり、且つ、（ｉｖ）上記内側カップは、上記外側カップの内側面および該内側カップの外側面の各側壁間に且つ上記各底壁部間に間隙を生成すべく上記外側カップ内に受容可能に構成され、上記間隙は約１．５２４ｍｍ乃至約２．０３２ｍｍ（約０．０６乃至約０．０８インチ）である二重壁カップ・アセンブリ、
を備え、且つ、
（ｂ）当該カップ・アセンブリは該カップ・アセンブリ上に着脱式にキャップを取付けるべく外部螺条形成された上端部を有する幼児用溢流防止カップの形態であり、上記キャップは垂下カラーを有し、上記カラーは、上記カップの上記螺条形成上端部に螺着係合され得る内側螺条を有し、上記カラーは、上記螺条と同心的に且つ該螺条の内側にて上記キャップの円周方向に延在する内側フランジを含み、上記キャップはその一側から上方に突出する飲み口を有し、該飲み口は上記キャップと一体的に形成されると共に、該飲み口の外方突出尖端へと収束する前後壁部を含む、
カップ・アセンブリ。
【請求項１４】
開口端部を有するカップ・アセンブリであって、該カップ・アセンブリは、
（ａ）（ｉ）側壁、大寸頂部および小寸端部を備えると共に截頭円錐形状を有する外側カップであって、上記端部は底壁部により閉成かつ密閉されると共に上記頂部は開口された外側カップと、（ｉｉ）側壁、大寸頂部および小寸端部を備えると共に截頭円錐形状を有する内側カップであって、上記端部は底壁部により閉成かつ密閉された内側カップとを備えた二重壁カップ・アセンブリであって、（ｉｉｉ）上記内側および外側カップの側壁厚みは約０．７６２ｍｍ乃至約２．０３２ｍｍ（約０．０３乃至約０．０８インチ）であり、且つ、（ｉｖ）上記内側カップは、上記外側カップの内側面および該内側カップの外側面の各側壁間に且つ上記各底壁部間に間隙を生成すべく上記外側カップ内に受容可能に構成され、上記間隙は約１．０１６ｍｍ乃至約２．５４ｍｍ（約０．０４乃至約０．１インチ）である二重壁カップ・アセンブリ、
を備え、且つ、
（ｂ）当該カップ・アセンブリは該カップ・アセンブリ上に着脱式にキャップを取付けるべく外部螺条形成された上端部を有する幼児用溢流防止カップの形態であり、上記キャップは垂下カラーを有し、上記カラーは、上記カップの上記螺条形成上端部に螺着係合され得る内側螺条を有し、上記カラーは、上記螺条と同心的に且つ該螺条の内側にて上記キャップの円周方向に延在する内側フランジを含み、上記キャップはその一側から上方に突出する飲み口を有し、該飲み口は上記キャップと一体的に形成されると共に、該飲み口の外方突出尖端へと収束する前後壁部を含む、
カップ・アセンブリ。
【請求項１５】
開口端部を有するカップ・アセンブリであって、該カップ・アセンブリは、
（ａ）（ｉ）側壁、大寸頂部および小寸端部を備えると共に截頭円錐形状を有する外側カップであって、上記端部は底壁部により閉成かつ密閉されると共に上記頂部は開口された外側カップと、（ｉｉ）側壁、大寸頂部および小寸端部を備えると共に截頭円錐形状を有する内側カップであって、上記端部は底壁部により閉成かつ密閉された内側カップと、（ｉｉｉ）上記外側カップの底部外側縁部において上記外側カップの壁厚より大きな厚みを有する湾曲領域、および、上記外側カップの底部内側縁部の湾曲領域におけるノッチと、を備えた二重壁カップ・アセンブリであって、（ｉｖ）上記内側カップは、上記外側カップの内側面および該内側カップの外側面の各側壁間に且つ上記各底壁部間に間隙を生成すべく上記外側カップ内に受容可能に構成される二重壁カップ・アセンブリ、
を備え、且つ、
（ｂ）当該カップ・アセンブリは該カップ・アセンブリ上に着脱式にキャップを取付けるべく外部螺条形成された上端部を有する幼児用溢流防止カップの形態であり、上記キャップは垂下カラーを有し、上記カラーは、上記カップの上記螺条形成上端部に螺着係合され得る内側螺条を有し、上記カラーは、上記螺条と同心的に且つ該螺条の内側にて上記キャップの円周方向に延在する内側フランジを含み、上記キャップはその一側から上方に突出する飲み口を有し、該飲み口は上記キャップと一体的に形成されると共に、該飲み口の外方突出尖端へと収束する前後壁部を含む、
カップ・アセンブリ。
【請求項１６】
開口端部を有するカップ・アセンブリであって、該カップ・アセンブリは、
（ａ）（ｉ）側壁、大寸頂部および小寸端部を備えると共に截頭円錐形状を有する外側カップであって、上記端部は底壁部により閉成かつ密閉されると共に上記頂部は開口された外側カップと、（ｉｉ）側壁、大寸頂部および小寸端部を備えると共に截頭円錐形状を有する内側カップであって、上記端部は底壁部により閉成かつ密閉された内側カップと、（ｉｉｉ）上記外側カップの底部外側縁部において上記外側カップの壁厚より大きな厚みを有する湾曲領域、および、上記外側カップの底部内側縁部の湾曲領域におけるノッチと、を備えた二重壁カップ・アセンブリであって、上記ノッチは約０．５０８ｍｍ乃至約１．５２４ｍｍ（約０．０２乃至約０．０６インチ）の小寸半径および約２．５４ｍｍ乃至約７．６２ｍｍ（約０．１乃至約０．３インチ）の大寸半径を有し、且つ、（ｉｖ）上記内側カップは、上記外側カップの内側面および該内側カップの外側面の各側壁間に且つ上記各底壁部間に間隙を生成すべく上記外側カップ内に受容可能に構成される二重壁カップ・アセンブリ、
を備え、且つ、
（ｂ）当該カップ・アセンブリは該カップ・アセンブリ上に着脱式にキャップを取付けるべく外部螺条形成された上端部を有する幼児用溢流防止カップの形態であり、上記キャップは垂下カラーを有し、上記カラーは、上記カップの上記螺条形成上端部に螺着係合され得る内側螺条を有し、上記カラーは、上記螺条と同心的に且つ該螺条の内側にて上記キャップの円周方向に延在する内側フランジを含み、上記キャップはその一側から上方に突出する飲み口を有し、該飲み口は上記キャップと一体的に形成されると共に、該飲み口の外方突出尖端へと収束する前後壁部を含む、
カップ・アセンブリ。
【請求項１７】
開口端部を有するカップ・アセンブリであって、該カップ・アセンブリは、
（ａ）（ｉ）側壁、大寸頂部および小寸端部を備えると共に截頭円錐形状を有する外側カップであって、上記端部は底壁部により閉成かつ密閉されると共に上記頂部は開口された外側カップと、（ｉｉ）側壁、大寸頂部および小寸端部を備えると共に截頭円錐形状を有する内側カップであって、上記端部は底壁部により閉成かつ密閉された内側カップと、（ｉｉｉ）上記内側および外側カップの側壁厚みは約０．７６２ｍｍ乃至約２．０３２ｍｍ（約０．０３乃至約０．０８インチ）であり、（ｉｖ）上記外側カップの底部外側縁部において上記外側カップの壁厚より大きな厚みを有する湾曲領域、および、上記外側カップの底部内側縁部の湾曲領域におけるノッチと、を備えた二重壁カップ・アセンブリであって、（ｖ）上記内側カップは、上記外側カップの内側面および該内側カップの外側面の各側壁間に且つ上記各底壁部間に間隙を生成すべく上記外側カップ内に受容可能に構成され、上記間隙は約１．０１６ｍｍ乃至約２．５４ｍｍ（約０．０４乃至約０．１インチ）である二重壁カップ・アセンブリ、
を備え、且つ、
（ｂ）当該カップ・アセンブリは該カップ・アセンブリ上に着脱式にキャップを取付けるべく外部螺条形成された上端部を有する幼児用溢流防止カップの形態であり、上記キャップは垂下カラーを有し、上記カラーは、上記カップの上記螺条形成上端部に螺着係合され得る内側螺条を有し、上記カラーは、上記螺条と同心的に且つ該螺条の内側にて上記キャップの円周方向に延在する内側フランジを含み、上記キャップはその一側から上方に突出する飲み口を有し、該飲み口は上記キャップと一体的に形成されると共に、該飲み口の外方突出尖端へと収束する前後壁部を含む、
カップ・アセンブリ。
【請求項１８】
開口端部を有するカップ・アセンブリであって、該カップ・アセンブリは、
（ａ）（ｉ）側壁、大寸頂部および小寸端部を備えると共に截頭円錐形状を有する外側カップであって、上記端部は底壁部により閉成かつ密閉されると共に上記頂部は開口された外側カップと、（ｉｉ）側壁、大寸頂部および小寸端部を備えると共に截頭円錐形状を有する内側カップであって、上記端部は底壁部により閉成かつ密閉された内側カップとを備えた二重壁カップ・アセンブリであって、（ｉｉｉ）上記内側カップは、上記外側カップの内側面および該内側カップの外側面の各側壁間に且つ上記各底壁部間に間隙を生成すべく上記外側カップ内に受容可能に構成される二重壁カップ・アセンブリ、
を備え、且つ、
（ｂ）当該カップ・アセンブリは該カップ・アセンブリ上に着脱式にキャップを取付けるべく外部螺条形成された上端部を有する幼児用溢流防止カップの形態であり、上記キャップは垂下カラーを有し、上記カラーは、上記カップの上記螺条形成上端部に螺着係合され得る内側螺条を有し、上記カラーは、上記螺条と同心的に且つ該螺条の内側にて上記キャップの円周方向に延在する内側フランジを含み、上記キャップはその一側から上方に突出する飲み口を有し、該飲み口は上記キャップと一体的に形成されると共に、該飲み口の外方突出尖端へと収束する前後壁部と該飲み口の近傍に配置されまたは該飲み口に取入れられたバルブとを含み、該バルブは上記飲み口からの液体の漏出を実質的に防止する、
カップ・アセンブリ。
【請求項１９】
開口端部を有するカップ・アセンブリであって、該カップ・アセンブリは、
（ａ）（ｉ）側壁、大寸頂部および小寸端部を備えると共に截頭円錐形状を有する外側カップであって、上記端部は底壁部により閉成かつ密閉されると共に上記頂部は開口された外側カップと、（ｉｉ）側壁、大寸頂部および小寸端部を備えると共に截頭円錐形状を有する内側カップであって、上記端部は底壁部により閉成かつ密閉された内側カップとを備えた二重壁カップ・アセンブリであって、（ｉｉｉ）上記内側カップは、上記外側カップの内側面および該内側カップの外側面の各側壁間に且つ上記各底壁部間に間隙を生成すべく上記外側カップ内に受容可能に構成される二重壁カップ・アセンブリ、
を備え、
（ｂ）上記二重壁アセンブリは、カップ断熱試験方法により試験されたときに同等の単一壁カップと比較して２１．１℃（７０°Ｆ）に到達するために当該カップ・アセンブリが少なくとも約２倍の時間を要する如く十分な断熱機能を提供し、且つ、
（ｃ）上記二重壁アセンブリは、落下試験法により試験されたときに当該カップ・アセンブリが亀裂形成も破壊もしない様に十分な衝撃強度を提供する、
カップ・アセンブリ。
【請求項２０】
開口端部を有するカップ・アセンブリであって、該カップ・アセンブリは、
（ａ）（ｉ）側壁、大寸頂部および小寸端部を備えると共に截頭円錐形状を有する外側カップであって、上記端部は底壁部により閉成かつ密閉されると共に上記頂部は開口された外側カップと、（ｉｉ）側壁、大寸頂部および小寸端部を備えると共に截頭円錐形状を有する内側カップであって、上記端部は底壁部により閉成かつ密閉された内側カップと、（ｉｉｉ）上記外側カップの底部外側縁部において上記外側カップの壁厚より大きな厚みを有する湾曲領域、および、上記外側カップの底部内側縁部の湾曲領域におけるノッチと、を備えた二重壁カップ・アセンブリであって、（ｉｖ）上記内側カップは、上記外側カップの内側面および該内側カップの外側面の各側壁間に且つ上記各底壁部間に間隙を生成すべく上記外側カップ内に受容可能に構成される二重壁カップ・アセンブリ、
を備え、且つ、
（ｂ）当該カップ・アセンブリは該カップ・アセンブリ上に着脱式にキャップを取付けるべく外部螺条形成された上端部を有する幼児用溢流防止カップの形態であり、上記キャップは垂下カラーを有し、上記カラーは、上記カップの上記螺条形成上端部に螺着係合され得る内側螺条を有し、上記カラーは、上記螺条と同心的に且つ該螺条の内側にて上記キャップの円周方向に延在する内側フランジを含み、上記キャップはその一側から上方に突出する飲み口を有し、該飲み口は上記キャップと一体的に形成されると共に、該飲み口の外方突出尖端へと収束する前後壁部を含む、
カップ・アセンブリ。
【請求項２１】
（ｉ）側壁、大寸頂部および小寸端部を備えると共に截頭円錐形状を有する外側カップであって、上記端部は底壁部により閉成かつ密閉されると共に上記頂部は開口された外側カップと、（ｉｉ）側壁、大寸頂部および小寸端部を備えると共に截頭円錐形状を有する内側カップであって、上記端部は底壁部により閉成かつ密閉された内側カップと、（ｉｉｉ）上記外側カップの底部外側縁部において上記外側カップの壁厚より大きな厚みを有する湾曲領域、および、上記外側カップの底部内側縁部の湾曲領域におけるノッチ、とを備えた二重壁であって、上記ノッチは約０．５０８ｍｍ乃至約１．５２４ｍｍ（約０．０２乃至約０．０６インチ）の小寸半径および約２．５４ｍｍ乃至約７．６２ｍｍ（約０．１乃至約０．３インチ）の大寸半径を有し、（ｉｖ）上記内側カップは、上記外側カップの内側面および該内側カップの外側面の各側壁間に且つ上記各底壁部間に間隙を生成すべく上記外側カップ内に受容可能に構成される二重壁、
を備えて成る、開口端部を有するカップ・アセンブリ。
【請求項２２】
（ａ）（ｉ）側壁、大寸頂部および小寸端部を備えると共に截頭円錐形状を有する外側カップであって、上記端部は底壁部により閉成かつ密閉されると共に上記頂部は開口された外側カップと、（ｉｉ）側壁、大寸頂部および小寸端部を備えると共に截頭円錐形状を有する内側カップであって、上記端部は底壁部により閉成かつ密閉された内側カップと、（ｉｉｉ）上記内側および外側カップの側壁厚みは約０．７６２ｍｍ乃至約２．０３２ｍｍ（約０．０３乃至約０．０８インチ）であり、（ｉｖ）上記外側カップの底部外側縁部において上記外側カップの壁厚より大きな厚みを有する湾曲領域、および、上記外側カップの底部内側縁部の湾曲領域におけるノッチ、とを備えた二重壁であって、（ｖ）上記内側カップは、上記外側カップの内側面および該内側カップの外側面の各側壁間に且つ上記各底壁部間に間隙を生成すべく上記外側カップ内に受容可能に構成され、上記間隙は約１．０１６ｍｍ乃至約２．５４ｍｍ（約０．０４乃至約０．１インチ）である二重壁、
を備えて成る、開口端部を有するカップ・アセンブリ。
【請求項２３】
（ａ）（ｉ）側壁、大寸頂部および小寸端部を備えると共に截頭円錐形状を有する外側カップであって、上記端部は底壁部により閉成かつ密閉されると共に上記頂部は開口された外側カップと、（ｉｉ）側壁、大寸頂部および小寸端部を備えると共に截頭円錐形状を有する内側カップであって、上記端部は底壁部により閉成かつ密閉された内側カップとを備えた二重壁カップ・アセンブリであって、（ｉｉｉ）上記内側カップは、上記外側カップの内側面および該内側カップの外側面の各側壁間に且つ上記各底壁部間に間隙を生成すべく上記外側カップ内に受容可能に構成される二重壁カップ・アセンブリと、
（ｂ）当該カップ・アセンブリは該カップ・アセンブリ上に着脱式にキャップを取付けるべく外部螺条形成された上端部を有する幼児用溢流防止カップの形態であり、上記キャップは垂下カラーを有し、上記カラーは、上記カップの上記螺条形成上端部に螺着係合され得る内側螺条を有し、上記カラーは、上記螺条と同心的に且つ該螺条の内側にて上記キャップの円周方向に延在する内側フランジを含み、上記キャップはその一側から上方に突出する飲み口を有し、該飲み口は上記キャップと一体的に形成されると共に、該飲み口の外方突出尖端へと収束する前後壁部と該飲み口の近傍に配置されまたは該飲み口に取入れられたバルブとを含み、該バルブは上記飲み口からの液体の漏出を実質的に防止し、
（ｃ）上記外側カップの上記頂端部が上記内側カップと合致係合する領域にて当該カップ・アセンブリの外側部分に配置されて上記間隙を密閉する重ね成形リングと、
を備えて成る、開口端部を有するカップ・アセンブリ。
【請求項２４】
以下の段階を備えて成る、二重壁カップ・アセンブリの製造方法：
（ａ）射出成形プロセスにより少なくともひとつの成形型内で内側カップおよび外側カップの両者を成形する段階、
（ｂ）上記成形型を開くと共に上記内側カップに対応する成形型断片を上記外側カップに対応する成形型断片に整列する段階、
（ｃ）上記各カップが合致係合する如く、且つ、上記外側カップの内側面および上記内側カップの外側面の各側壁間および上記内側および外側カップの各底壁部間の間隙であって本質的に閉鎖された間隙を形成する如く、上記成形型を十分に閉じる段階、
（ｄ）上記カップ・アセンブリに装着される重ね成形リングであって、上記外側カップの頂端部が上記内側カップと合致係合する領域において上記カップ・アセンブリの外側部分に配置されて上記間隙を密閉すると共に上記カップ・アセンブリに対して収縮嵌装を構成する重ね成形リングを成形する段階、および、
（ｅ）上記成形型を開いて該成形型から上記カップ・アセンブリを排出し、（ｉ）側壁、大寸頂部および小寸端部を備えると共に截頭円錐形状を有する外側カップであって、上記端部は底壁部により閉成かつ密閉されると共に上記頂部は開口された外側カップと、（ｉｉ）側壁、大寸頂部および小寸端部を備えると共に截頭円錐形状を有する内側カップであって、上記端部は底壁部により閉成かつ密閉された内側カップとを備えた二重壁カップ・アセンブリであって、（ｉｉｉ）上記内側カップは、上記外側カップの内側面および該内側カップの外側面の各側壁間に且つ上記各底壁部間に間隙を生成すべく上記外側カップ内に受容可能に構成される二重壁カップ・アセンブリ、を成形する段階。
【請求項２５】
以下の段階を備えて成る、二重壁カップの製造方法：
（ａ）射出成形プロセスにより成形型内で内側カップおよび外側カップを成形する段階、
（ｂ）上記成形型を開くと共に上記内側カップに対応する成形型断片を上記外側カップに対応する成形型断片に整列する段階、
（ｃ）上記各カップが合致係合する如く、且つ、上記外側カップの内側面および上記内側カップの外側面の各側壁間および上記内側および外側カップの各底壁部間の間隙であって本質的に閉鎖された間隙を形成する如く、上記成形型を十分に閉じる段階、
（ｄ）上記成形型を開いて該成形型から上記カップ・アセンブリを排出する段階、および、
（ｅ）（ｉ）側壁、大寸頂部および小寸端部を備えると共に截頭円錐形状を有する外側カップであって、上記端部は底壁部により閉成かつ密閉されると共に上記頂部は開口された外側カップと、（ｉｉ）側壁、大寸頂部および小寸端部を備えると共に截頭円錐形状を有する内側カップであって、上記端部は底壁部により閉成かつ密閉された内側カップとを備えた二重壁カップ・アセンブリであって、（ｉｉｉ）上記内側および外側カップの側壁厚みは約１．２７ｍｍ乃至約１．５２４ｍｍ（約０．０５乃至約０．０６インチ）であり、（ｉｖ）上記内側カップは、上記外側カップの内側面および該内側カップの外側面の各側壁間に且つ上記各底壁部間に間隙を生成すべく上記外側カップ内に受容可能に構成され、上記間隙は約１．５２４ｍｍ乃至約２．０３２ｍｍ（約０．０６乃至約０．０８インチ）である二重壁カップ・アセンブリに帰着すべく、上記カップ・アセンブリに装着される成形リングであって、上記外側カップの頂端部が上記内側カップと合致係合する領域において上記外側カップの外側部分に配置されて上記間隙を密閉するリングを超音波溶接もしくはスピン溶接により形成する段階。
【請求項２６】
以下の段階を備えて成る、二重壁カップの製造方法：
（ａ）射出成形プロセスにより成形型内で内側カップおよび外側カップを成形する段階、
（ｂ）上記成形型を開くと共に上記内側カップに対応する成形型断片を上記外側カップに対応する成形型断片に整列する段階、
（ｃ）上記各カップが合致係合する如く、且つ、上記外側カップの内側面および上記内側カップの外側面の各側壁間および上記内側および外側カップの各底壁部間の間隙であって本質的に閉鎖された間隙を形成する如く、上記成形型を十分に閉じる段階、
（ｄ）上記成形型を開いて該成形型から上記カップ・アセンブリを排出する段階、および、
（ｅ）（ｉ）側壁、大寸頂部および小寸端部を備えると共に截頭円錐形状を有する外側カップであって、上記端部は底壁部により閉成かつ密閉されると共に上記頂部は開口された外側カップと、（ｉｉ）側壁、大寸頂部および小寸端部を備えると共に截頭円錐形状を有する内側カップであって、上記端部は底壁部により閉成かつ密閉された内側カップと、（ｉｉｉ）上記外側カップの底部外側縁部において上記外側カップの壁厚より大きな厚みを有する湾曲領域、および、上記外側カップの底部内側縁部の湾曲領域におけるノッチと、を備えた二重壁カップ・アセンブリであって、（ｉｖ）上記内側カップは、上記外側カップの内側面および該内側カップの外側面の各側壁間に且つ上記各底壁部間に間隙を生成すべく上記外側カップ内に受容可能に構成される二重壁カップ・アセンブリに帰着すべく、上記カップ・アセンブリに装着される成形リングであって、上記外側カップの頂端部が上記内側カップと合致係合する領域において上記外側カップの外側部分に配置されて上記間隙を密閉するリングを超音波溶接もしくはスピン溶接により形成する段階。
【請求項２７】
以下の段階を備えて成る、二重壁カップの製造方法：
（ａ）射出成形プロセスにより成形型内で内側カップおよび外側カップを成形する段階、
（ｂ）上記成形型を開くと共に上記内側カップに対応する成形型断片を上記外側カップに対応する成形型断片に整列する段階、
（ｃ）上記各カップが合致係合する如く、且つ、上記外側カップの内側面および上記内側カップの外側面の各側壁間および上記内側および外側カップの各底壁部間の間隙であって本質的に閉鎖された間隙を形成する如く、上記成形型を十分に閉じる段階、
（ｄ）上記成形型を開いて該成形型から上記カップ・アセンブリを排出する段階、および、
（ｅ）（ｉ）側壁、大寸頂部および小寸端部を備えると共に截頭円錐形状を有する外側カップであって、上記端部は底壁部により閉成かつ密閉されると共に上記頂部は開口された外側カップと、（ｉｉ）側壁、大寸頂部および小寸端部を備えると共に截頭円錐形状を有する内側カップであって、上記端部は底壁部により閉成かつ密閉された内側カップとを備えた二重壁カップ・アセンブリであって、（ｉｉｉ）上記内側カップは、上記外側カップの内側面および該内側カップの外側面の各側壁間に且つ上記各底壁部間に間隙を生成すべく上記外側カップ内に受容可能に構成される二重壁カップ・アセンブリであって、（ｉｖ）上記二重壁アセンブリは、カップ断熱試験方法により試験されたときに同等の単一壁カップと比較して２１．１℃（７０°Ｆ）に到達するために当該カップ・アセンブリが少なくとも約２倍の時間を要する如く十分な断熱機能を提供し、且つ、上記二重壁アセンブリは、落下試験法により試験されたときに当該カップ・アセンブリが亀裂形成も破壊もしない様に十分な衝撃強度を提供する二重壁カップ・アセンブリに帰着すべく、上記カップ・アセンブリに装着される成形リングであって、上記外側カップの頂端部が上記内側カップと合致係合する領域において上記外側カップの外側部分に配置されて上記間隙を密閉するリングを超音波溶接もしくはスピン溶接により形成する段階。
【請求項２８】
当該カップ・アセンブリは前記飲み口の近傍に配置されまたは該飲み口に取入れられたバルブを有し、該バルブは上記飲み口からの液体の漏出を実質的に防止する、請求項３記載のカップ・アセンブリ。
【請求項２９】
当該カップ・アセンブリは前記飲み口の近傍に配置されまたは該飲み口に取入れられたバルブを有し、該バルブは上記飲み口からの液体の漏出を実質的に防止する、請求項９記載のカップ・アセンブリ。
【請求項３０】
当該カップ・アセンブリは前記飲み口の近傍に配置されまたは該飲み口に取入れられたバルブを有し、該バルブは上記飲み口からの液体の漏出を実質的に防止する、請求項１０記載のカップ・アセンブリ。
【請求項３１】
当該カップ・アセンブリは前記飲み口の近傍に配置されまたは該飲み口に取入れられたバルブを有し、該バルブは上記飲み口からの液体の漏出を実質的に防止する、請求項１１記載のカップ・アセンブリ。
【請求項３２】
当該カップ・アセンブリは前記飲み口の近傍に配置されまたは該飲み口に取入れられたバルブを有し、該バルブは上記飲み口からの液体の漏出を実質的に防止する、請求項１２記載のカップ・アセンブリ。
【請求項３３】
当該カップ・アセンブリは前記飲み口の近傍に配置されまたは該飲み口に取入れられたバルブを有し、該バルブは上記飲み口からの液体の漏出を実質的に防止する、請求項１３記載のカップ・アセンブリ。
【請求項３４】
当該カップ・アセンブリは前記飲み口の近傍に配置されまたは該飲み口に取入れられたバルブを有し、該バルブは上記飲み口からの液体の漏出を実質的に防止する、請求項１４記載のカップ・アセンブリ。
【請求項３５】
当該カップ・アセンブリは前記飲み口の近傍に配置されまたは該飲み口に取入れられたバルブを有し、該バルブは上記飲み口からの液体の漏出を実質的に防止する、請求項１５記載のカップ・アセンブリ。
【請求項３６】
当該カップ・アセンブリは前記飲み口の近傍に配置されまたは該飲み口に取入れられたバルブを有し、該バルブは上記飲み口からの液体の漏出を実質的に防止する、請求項１６記載のカップ・アセンブリ。
【請求項３７】
当該カップ・アセンブリは前記飲み口の近傍に配置されまたは該飲み口に取入れられたバルブを有し、該バルブは上記飲み口からの液体の漏出を実質的に防止する、請求項１７記載のカップ・アセンブリ。
【請求項３８】
当該カップ・アセンブリは前記飲み口の近傍に配置されまたは該飲み口に取入れられたバルブを有し、該バルブは上記飲み口からの液体の漏出を実質的に防止する、請求項２０記載のカップ・アセンブリ。
【請求項３９】
前記内側カップは約１７７ｍｌ乃至約２６６ｍｌ（約６乃至約９オンス）の液体を保持するに十分なサイズとされる、請求項２８記載のカップ・アセンブリ。
【請求項４０】
前記内側カップは約１７７ｍｌ乃至約２６６ｍｌ（約６乃至約９オンス）の液体を保持するに十分なサイズとされる、請求項２９記載のカップ・アセンブリ。
【請求項４１】
前記内側カップは約１７７ｍｌ乃至約２６６ｍｌ（約６乃至約９オンス）の液体を保持するに十分なサイズとされる、請求項３０記載のカップ・アセンブリ。
【請求項４２】
前記内側カップは約１７７ｍｌ乃至約２６６ｍｌ（約６乃至約９オンス）の液体を保持するに十分なサイズとされる、請求項３１記載のカップ・アセンブリ。
【請求項４３】
前記内側カップは約１７７ｍｌ乃至約２６６ｍｌ（約６乃至約９オンス）の液体を保持するに十分なサイズとされる、請求項３２記載のカップ・アセンブリ。
【請求項４４】
前記内側カップは約１７７ｍｌ乃至約２６６ｍｌ（約６乃至約９オンス）の液体を保持するに十分なサイズとされる、請求項３３記載のカップ・アセンブリ。
【請求項４５】
前記内側カップは約１７７ｍｌ乃至約２６６ｍｌ（約６乃至約９オンス）の液体を保持するに十分なサイズとされる、請求項３４記載のカップ・アセンブリ。
【請求項４６】
前記内側カップは約１７７ｍｌ乃至約２６６ｍｌ（約６乃至約９オンス）の液体を保持するに十分なサイズとされる、請求項３５記載のカップ・アセンブリ。
【請求項４７】
前記内側カップは約１７７ｍｌ乃至約２６６ｍｌ（約６乃至約９オンス）の液体を保持するに十分なサイズとされる、請求項３６記載のカップ・アセンブリ。
【請求項４８】
前記内側カップは約１７７ｍｌ乃至約２６６ｍｌ（約６乃至約９オンス）の液体を保持するに十分なサイズとされる、請求項３７記載のカップ・アセンブリ。
【請求項４９】
前記内側カップは約１７７ｍｌ乃至約２６６ｍｌ（約６乃至約９オンス）の液体を保持するに十分なサイズとされる、請求項３８記載のカップ・アセンブリ。
【請求項５０】
前記内側カップは約１７７ｍｌ乃至約２６６ｍｌ（約６乃至約９オンス）の液体を保持するに十分なサイズとされる、請求項２０記載のカップ・アセンブリ。
【請求項５１】
前記内側カップは約１７７ｍｌ乃至約２６６ｍｌ（約６乃至約９オンス）の液体を保持するに十分なサイズとされる、請求項２３記載のカップ・アセンブリ。
【請求項５２】
当該カップ・アセンブリはポリプロピレン、ポリエチレンおよびポリエステルから成る群から選択されたプラスチックで形成される、請求項３９記載のカップ・アセンブリ。
【請求項５３】
当該カップ・アセンブリはポリプロピレン、ポリエチレンおよびポリエステルから成る群から選択されたプラスチックで形成される、請求項４０記載のカップ・アセンブリ。
【請求項５４】
当該カップ・アセンブリはポリプロピレン、ポリエチレンおよびポリエステルから成る群から選択されたプラスチックで形成される、請求項４１記載のカップ・アセンブリ。
【請求項５５】
当該カップ・アセンブリはポリプロピレン、ポリエチレンおよびポリエステルから成る群から選択されたプラスチックで形成される、請求項４２記載のカップ・アセンブリ。
【請求項５６】
当該カップ・アセンブリはポリプロピレン、ポリエチレンおよびポリエステルから成る群から選択されたプラスチックで形成される、請求項４３記載のカップ・アセンブリ。
【請求項５７】
当該カップ・アセンブリはポリプロピレン、ポリエチレンおよびポリエステルから成る群から選択されたプラスチックで形成される、請求項４４記載のカップ・アセンブリ。
【請求項５８】
当該カップ・アセンブリはポリプロピレン、ポリエチレンおよびポリエステルから成る群から選択されたプラスチックで形成される、請求項４５記載のカップ・アセンブリ。
【請求項５９】
当該カップ・アセンブリはポリプロピレン、ポリエチレンおよびポリエステルから成る群から選択されたプラスチックで形成される、請求項４６記載のカップ・アセンブリ。
【請求項６０】
当該カップ・アセンブリはポリプロピレン、ポリエチレンおよびポリエステルから成る群から選択されたプラスチックで形成される、請求項４７記載のカップ・アセンブリ。
【請求項６１】
当該カップ・アセンブリはポリプロピレン、ポリエチレンおよびポリエステルから成る群から選択されたプラスチックで形成される、請求項４８記載のカップ・アセンブリ。
【請求項６２】
当該カップ・アセンブリはポリプロピレン、ポリエチレンおよびポリエステルから成る群から選択されたプラスチックで形成される、請求項４９記載のカップ・アセンブリ。
【請求項６３】
当該カップ・アセンブリはポリプロピレン、ポリエチレンおよびポリエステルから成る群から選択されたプラスチックで形成される、請求項１９記載のカップ・アセンブリ。
【請求項６４】
当該カップ・アセンブリはポリプロピレン、ポリエチレンおよびポリエステルから成る群から選択されたプラスチックで形成される、請求項２０記載のカップ・アセンブリ。
【請求項６５】
当該カップ・アセンブリはポリプロピレン、ポリエチレンおよびポリエステルから成る群から選択されたプラスチックで形成される、請求項２３記載のカップ・アセンブリ。
【請求項６６】
前記間隙はキセノン、クリプトン、アルゴンおよび窒素から成る群から選択された気体で充填される、請求項５２記載のカップ・アセンブリ。
【請求項６７】
前記間隙はキセノン、クリプトン、アルゴンおよび窒素から成る群から選択された気体で充填される、請求項５３記載のカップ・アセンブリ。
【請求項６８】
前記間隙はキセノン、クリプトン、アルゴンおよび窒素から成る群から選択された気体で充填される、請求項５４記載のカップ・アセンブリ。
【請求項６９】
前記間隙はキセノン、クリプトン、アルゴンおよび窒素から成る群から選択された気体で充填される、請求項５５記載のカップ・アセンブリ。
【請求項７０】
前記間隙はキセノン、クリプトン、アルゴンおよび窒素から成る群から選択された気体で充填される、請求項５６記載のカップ・アセンブリ。
【請求項７１】
前記間隙はキセノン、クリプトン、アルゴンおよび窒素から成る群から選択された気体で充填される、請求項５７記載のカップ・アセンブリ。
【請求項７２】
前記間隙はキセノン、クリプトン、アルゴンおよび窒素から成る群から選択された気体で充填される、請求項５８記載のカップ・アセンブリ。
【請求項７３】
前記間隙はキセノン、クリプトン、アルゴンおよび窒素から成る群から選択された気体で充填される、請求項５９記載のカップ・アセンブリ。
【請求項７４】
前記間隙はキセノン、クリプトン、アルゴンおよび窒素から成る群から選択された気体で充填される、請求項６０記載のカップ・アセンブリ。
【請求項７５】
前記間隙はキセノン、クリプトン、アルゴンおよび窒素から成る群から選択された気体で充填される、請求項６１記載のカップ・アセンブリ。
【請求項７６】
前記間隙はキセノン、クリプトン、アルゴンおよび窒素から成る群から選択された気体で充填される、請求項６２記載のカップ・アセンブリ。
【請求項７７】
前記間隙はキセノン、クリプトン、アルゴンおよび窒素から成る群から選択された気体で充填される、請求項１９記載のカップ・アセンブリ。
【請求項７８】
前記間隙はキセノン、クリプトン、アルゴンおよび窒素から成る群から選択された気体で充填される、請求項２０記載のカップ・アセンブリ。
【請求項７９】
前記間隙はキセノン、クリプトン、アルゴンおよび窒素から成る群から選択された気体で充填される、請求項２３記載のカップ・アセンブリ。
【請求項８０】
前記間隙は発泡体、発泡剤、厚紙および断熱液体から成る群から選択された材料により充填される、請求項５２記載のカップ・アセンブリ。
【請求項８１】
前記間隙は発泡体、発泡剤、厚紙および断熱液体から成る群から選択された材料により充填される、請求項５３記載のカップ・アセンブリ。
【請求項８２】
前記間隙は発泡体、発泡剤、厚紙および断熱液体から成る群から選択された材料により充填される、請求項５４記載のカップ・アセンブリ。
【請求項８３】
前記間隙は発泡体、発泡剤、厚紙および断熱液体から成る群から選択された材料により充填される、請求項５５記載のカップ・アセンブリ。
【請求項８４】
前記間隙は発泡体、発泡剤、厚紙および断熱液体から成る群から選択された材料により充填される、請求項５６記載のカップ・アセンブリ。
【請求項８５】
前記間隙は発泡体、発泡剤、厚紙および断熱液体から成る群から選択された材料により充填される、請求項５７記載のカップ・アセンブリ。
【請求項８６】
前記間隙は発泡体、発泡剤、厚紙および断熱液体から成る群から選択された材料により充填される、請求項５８記載のカップ・アセンブリ。
【請求項８７】
前記間隙は発泡体、発泡剤、厚紙および断熱液体から成る群から選択された材料により充填される、請求項５９記載のカップ・アセンブリ。
【請求項８８】
前記間隙は発泡体、発泡剤、厚紙および断熱液体から成る群から選択された材料により充填される、請求項６０記載のカップ・アセンブリ。
【請求項８９】
前記間隙は発泡体、発泡剤、厚紙および断熱液体から成る群から選択された材料により充填される、請求項６１記載のカップ・アセンブリ。
【請求項９０】
前記間隙は発泡体、発泡剤、厚紙および断熱液体から成る群から選択された材料により充填される、請求項６２記載のカップ・アセンブリ。
【請求項９１】
前記間隙は発泡体、発泡剤、厚紙および断熱液体から成る群から選択された材料により充填される、請求項１９記載のカップ・アセンブリ。
【請求項９２】
前記間隙は発泡体、発泡剤、厚紙および断熱液体から成る群から選択された材料により充填される、請求項２０記載のカップ・アセンブリ。
【請求項９３】
前記間隙は発泡体、発泡剤、厚紙および断熱液体から成る群から選択された材料により充填される、請求項２３記載のカップ・アセンブリ。
【請求項９４】
（ｄ）前記外側カップの前記頂端部が前記内側カップと合致係合する領域にて当該カップ・アセンブリの外側部分に配置されて前記間隙を密閉する重ね成形リングを更に備えて成る、請求項９記載のカップ・アセンブリ。
【請求項９５】
（ｄ）前記外側カップの前記頂端部が前記内側カップと合致係合する領域にて当該カップ・アセンブリの外側部分に配置されて前記間隙を密閉する重ね成形リングを更に備えて成る、請求項１０記載のカップ・アセンブリ。
【請求項９６】
（ｄ）前記外側カップの前記頂端部が前記内側カップと合致係合する領域にて当該カップ・アセンブリの外側部分に配置されて前記間隙を密閉する重ね成形リングを更に備えて成る、請求項１１記載のカップ・アセンブリ。
【請求項９７】
（ｄ）前記外側カップの前記頂端部が前記内側カップと合致係合する領域にて当該カップ・アセンブリの外側部分に配置されて前記間隙を密閉する重ね成形リングを更に備えて成る、請求項１２記載のカップ・アセンブリ。
【請求項９８】
（ｄ）前記外側カップの前記頂端部が前記内側カップと合致係合する領域にて当該カップ・アセンブリの外側部分に配置されて前記間隙を密閉する重ね成形リングを更に備えて成る、請求項１３記載のカップ・アセンブリ。
【請求項９９】
（ｄ）前記外側カップの前記頂端部が前記内側カップと合致係合する領域にて当該カップ・アセンブリの外側部分に配置されて前記間隙を密閉する重ね成形リングを更に備えて成る、請求項１８記載のカップ・アセンブリ。
【発明の詳細な説明】
【０００１】
本出願は、２０００年７月１７日に出願されて“単式挟持成形原理を用いた幼児用溢流防止断熱カップの製造方法”と称された米国特許出願第６０／２１８，９６４号、２０００年９月２８日に出願されて“複数片式断熱容器”と称された米国特許出願第６０／２３６，２９８号、および、２０００年１２月１８日に出願されて“二重壁式断熱カップ・アセンブリおよび断熱カップ・アセンブリ製造方法”と称された米国特許出願第６０／２５６，２７４号の優先権を主張する。
【０００２】
発明の背景
現在、高温食品もしくは低温食品を保持するために多くの容器が使用されている。斯かる容器としてはたとえば、幼児に飲み物を与えるべく用いられるカップが挙げられる。斯かるカップの一例は、幼児がこぼすのを最小限にするカバーを含むと共に典型的に“溢流防止カップ”として知られたカップである。これらの“溢流防止カップ”は典型的に、５歳未満の幼児により使用される。典型的にこれらのカップは、高密度ポリエチレン（“ＨＤＰＥ”）により射出成形されると共に、カップ本体と着脱可能な螺着頂部もしくは同等の蓋部とから構成される。更に、これらのカップは典型的に、（１）１７７ｍｌ（６オンス）・カップおよび（２）２６６ｍｌ（９オンス）・カップという２つのカップサイズで販売される。１７７ｍｌ（６オンス）・カップは典型的に約１０１．６ｍｍ（約４インチ）高さでありかつ５７．１５ｍｍ（２．２５インチ）の蓋部直径である。２６６ｍｌ（９オンス）・カップは典型的に約１５２．４ｍｍ（約６インチ）高さであると共に１７７ｍｌ（６オンス）・カップと同一の蓋部直径を有する。上記蓋部は典型的に頂部に飲み口（ｓｐｏｕｔ）を有し、該箇所にて幼児は液体内容物に対してアクセスし得る。一実施例においては、上記飲み口からの液体の漏出を最小化すべく上記蓋部の下側にはバルブが配備され得る。使用に際して幼児は典型的に、自身の唇部を上記飲み口の回りに載置してカップを傾斜し、液体体積を吸引する。典型的に、これらのカップの壁厚は均一に構成されると共に、カップ・サイズに依存して厚みは約２．２８６ｍｍ乃至約２．５４ｍｍ（約０．０９インチ乃至約０．１インチ）の範囲である。
【０００３】
高温もしくは低温食品（たとえばビール、コーヒー、紅茶および／またはソーダ）を保持すべく用いられる容器の別の例は、マグカップ（ｍｕｇ）である。たとえば近年においては、いわゆる“トラベルマグカップ（ｔｒａｖｅｌ ｍｕｇ）”が急激に普及している。典型的なトラベルマグカップは飲料用の容器を含むと共に着脱可能カバーが嵌装される。従来において上記カバーには限られた寸法のマウスピースもしくは開口が備えられ、これを通して飲料はマグカップのユーザにより吸引され得る。この構成によればマグカップ内の飲料は溢流することなく相当に震盪（しんとう）され得る、と言うのも、上記カバーもしくはマウスピースを貫通する限られた寸法の開口は実質的に全ての液体を密閉するからである。多くの場合、ひとつの特定実施例において上記開口は上記カバーにおける凹所の底部とされ得る。故に、飲料がマグカップの外部へと上記開口を通過して上記凹所内に残存する限りにおいて飲料はマグカップ内に再び流入し、飲料の溢流が再び防止される。これに加え、上記“トラベルマグカップ”は断熱機能を有するものとして宣伝され得る。
【０００４】
更に現在、低温もしくは高温の飲み物を収容する飲み物用コップ（ｄｒｉｎｋｉｎｇ ｇｌａｓｓ）としても容器が使用されている。他の容器は現在、高温飲料、スープなどの高温液体を取り扱うべく使用されている。これらの形式の容器は現在、使い捨て容器を必要とするファスト・フードおよび他の業界で大量に使用されている。
【０００５】
発明の詳細な説明
本発明を記述するために“上側”、“下側”、“右側”、“左側”、“後側”、“前側”、“垂直”、“水平”およびそれらの派生語は、図１において容器がテーブル上に着座する様に配向される如く本発明に関連付けられる。但し、明確に特定される場合を除き本発明は種々の代替的配向を取り得ることを理解すべきである。また添付図面に示されると共に以下の明細書に記述される特定デバイスおよびプロセスは添付の各請求項に定義された発明概念の単なる代表的実施例であることも理解すべきである。故に各請求項に明確に記述されなければ、本明細書中に開示される実施例に関する特定の寸法および他の物理的特性は限定的と解釈してはならない。
【０００６】
本発明は高温食品および低温食品に対して少なくとも“二重”構造を有することで断熱機能を有する二重壁式断熱カップ・アセンブリおよびその方法に関しており、一実施例において内側カップは外側カップと異なる傾斜が与えられることで内側および外側カップ間に断熱空気層もしくは間隙を形成する。本発明は、（ａ）内容物の快適な取り扱いおよび温度維持のために断熱的であり、（ｂ）長期の取り扱いに耐えるべく十分に頑丈であり、（ｃ）生分解可能で再利用可能な材料で作成可能であり、（ｄ）製造が安価であり、かつ、（ｅ）良好な断熱特性を有するという断熱容器に対する多くの利点に帰着する。本発明は、幼児に対して飲み物を与えるべく用いられるカップ、高温飲料または低温飲料を保持するマグカップ、および、高温飲料、スープなどの高温液体を取り扱うべく用いられる容器（たとえば“ファスト・フード”供給器）などの、上記において発明の背景で論じられた用途で使用され得る。
【０００７】
一実施例においては、開口端部を有するカップ・アセンブリであって、該カップ・アセンブリは、
（ａ）（ｉ）側壁、大寸頂部および小寸端部を備えると共に截頭円錐形状を有する外側カップであって、上記端部は底壁部により閉成かつ密閉されると共に上記頂部は開口された外側カップと、（ｉｉ）側壁、大寸頂部および小寸端部を備えると共に截頭円錐形状を有する内側カップであって、上記端部は底壁部により閉成かつ密閉された内側カップとを備えた二重壁カップ・アセンブリであって、（ｉｉｉ）上記内側カップは、上記外側カップの内側面および該内側カップの外側面の各側壁間に且つ上記各底壁部間に間隙を生成すべく上記外側カップ内に受容可能に構成される二重壁カップ・アセンブリ、
を備え、且つ、
（ｂ）当該カップ・アセンブリは該カップ・アセンブリ上に着脱式にキャップを取付けるべく外部螺条形成された上端部を有する幼児用溢流防止カップの形態であり、上記キャップは垂下カラーを有し、上記カラーは、上記カップの上記螺条形成上端部に螺着係合され得る内側螺条を有し、上記カラーは、上記螺条と同心的に且つ該螺条の内側にて上記キャップの円周方向に延在する内側フランジを含み、上記キャップはその一側から上方に突出する飲み口を有し、該飲み口は上記キャップと一体的に形成されると共に、該飲み口の外方突出尖端へと収束する前後壁部と該飲み口の近傍に配置されまたは該飲み口に取入れられたバルブとを含み、該バルブは上記飲み口からの液体の漏出を実質的に防止する。
【０００８】
図１は、本発明の一実施例の断面を示している。詳細には、外側カップ１１および内側カップ１２を備えたカップ・アセンブリ１０が在る。カップ１１は標準カップ（ｒｅｇｕｌａｒ ｃｕｐ）であると共に、側壁１３を備えた截頭円錐形状を有する。カップ１１の小寸端部は底壁部１４により閉成かつ密閉される。カップ１１の大寸端部は１５にて開口される。カップ１２は標準カップであると共に、側壁１６を備えた截頭円錐形状を有する。カップ１２の小寸端部は底壁部１７により閉成かつ密閉される。カップ１２の大寸端部は底壁部分２２を有する円筒状区画により湾曲すると共に、頂部は開口される。一例において外側カップ１１の円錐角度は内側カップ１２のそれに等しいかそれより小さい。カップ１１および１２は、相互内に挿入される。結果として、側壁１３および１６の間ならびに底壁部１７および１４の間には空気空間もしくは間隙２０が生成されることから、内側および外側カップの間の間隙が囲繞される。箇所１５、２２における上記２つのカップ間の接触により、内側カップ１２に対する付加的支持が提供されると共に、該内側カップは外側カップ１１に対して軸心整列して保持され得る。別実施例において、側壁１６は底壁部１７を越えて延在されて底壁部１４に接触することで底壁部１４および１７間に空気空間２０を提供しても良い。
【０００９】
カップ１１および１２間の間隙２０は本質的に閉鎖されることから、カップ・アセンブリ１０の内容物と周囲環境（以下においては“空気間隙”）との間の熱移動が減少される。更なる実施例において、間隙２０は負圧（すなわち大気圧より小さい任意の圧力から完全な真空まで）で構成され得る。たとえば上記負圧は、約４００ミリバール乃至約８００ミリバールの範囲、より詳細には約５００ミリバール乃至約７００ミリバールの範囲とされ得る。負圧の最高程度は、上記壁部のプラスチック材料および厚みに依存する。空気の代わりに、上記“空気”間隙は他の所望の気体（たとえば窒素）および／または断熱液体で充填され得る。別実施例において、上記間隙は発泡体、発泡剤、発泡ポリスチレンおよび／または厚紙などの断熱材料により占有されても良い。これに加え、上記内側および外側カップの壁部は上記空気間隙において（約３００乃至９００ミリバールの範囲の）少なくとも部分的な減圧を許容すべく十分に厚寸とされ得る。別の例において上記間隙は、キセノン、クリプトンおよびアルゴンの群から選択された少なくとも一種類の低熱伝導性気体により充填され得る。一例において上記容器は、長時間に亙り食品を高温もしくは低温に維持すべく使用され得る。また熱移動が少ないことから、外側カップ１１は内側カップ１２の内容物ほどは熱くならず、かつ、過剰な熱さを感じたりやけどすることなく快適にカップ・アセンブリ１０を手で保持し得る。
【００１０】
図５Ｂに示された如く更なる実施例においては、箇所１５、２２の領域においてカップの外側部分にプラスチックの層および／または玉縁（ｂｅａｄ）などのリング３０も装着されることで、箇所１５および２２における内側および外側カップの各当接部間の空間を更に密閉しても良い。このリングは更に、上記空気間隙内への液体の進入防止を助けることから、断熱特性の喪失が回避されると共に微生物学的汚染の発生源が防止され得る。一実施例においてリング３０は、“重ね成形リング（ｏｖｅｒｍｏｌｄ ｒｉｎｇ）”として装着される。“重ね成形”という語句は、第１のプラスチック層に重ねて第２のプラスチック層が引き続いて射出されるという射出成形プロセスに対して用いられる習用の語句として使用される。上記重ね成形リングを装着する一例として、ひとつの方法が以下に記述されると共に図３の一例に示される。但し、以下に記述される方法はひとつの方法であるが重ね成形リングを装着する方法の限定を意味するものでないことは理解される。別実施例において上記層および／または玉縁は、スピン溶接および／または超音波溶接などの任意の習用の手段により装着され得る。上記層および／または玉縁は、上記カップの他の部分と同一のプラスチックもしくは別のプラスチックから構成され得る。たとえば上記層および／または玉縁は、手に保持されたときに滑りを減少すべく更に柔軟且つ／又は更に弾性的なプラスチック（たとえばエラストマ含有量の高いプラスチック）で構成され得る。更に、別の例において上記層は手に保持されたときに付加的なグリップとして作用すべく十分な幅とされ得る。
【００１１】
上記ポリマ、“空気”間隙のサイズおよび／または内側および／または外側カップの厚みの選択は、上記容器の断熱機能に影響し得る。故に、材料に対して小さな温度係数（ｔｈｅｒｍａｌ ｃｏｅｆｆｉｃｉｅｎｔ）を有するポリマは大きな熱移動速度に帰着することも理解される。材料厚みもまた、熱損失に対する当該構造の時間的感度（ｔｉｍｅ ｓｅｎｓｉｔｉｖｉｔｙ）に影響する。故に、材料が厚寸であるほど、熱損失が開始する以前の時間は長くなる。同様に、限度内で上記空気間隙を大きくすれば容器の断熱機能は強化される。
【００１２】
一実施例において内側カップ１２は、複数の“通気溝”１００を有する。図７は、内側カップの頂部破断図にて示された通気溝１００の一実施例を示している。別実施例において上記通気溝は、外側カップの内側面上とされ得る。上記通気溝によれば空気は、内側および外側カップが結合されるときに内側および外側カップ間の空間（たとえば空気空間２０）から流出し得る。故に上記通気溝によれば、過剰空気の流出を許容する以前に１５、２２の領域における間隙が尚早に閉塞されることが防止される。一実施例において各通気溝１００は、内側カップの外周の少なくとも一部の回りにて等間隔とされる。通気溝の個数および各通気溝のサイズは、内側および外側カップを結合するに必要な時間内に内側および外側カップ間の空気が十分に排除される如きものである。一例において内側カップの外側面上には、約２０乃至約３０個、より詳細には約２５個の通気溝が在る。図８Ａおよび図８Ｂに示された如く溝１００のひとつの設計態様において、内側カップの外側面上の凹部は、約０．２乃至約０．４ｍｍ、より詳細には約０．３ｍｍの深度、約２乃至約４ｍｍ、より詳細には約３ｍｍの幅、および、約３乃至約６ｍｍ、より詳細には約４乃至約５ｍｍの長さを有する。
【００１３】
図５Ｃは、内側カップ１１上の通気溝１００の箇所を示す実施例である。図５Ｃは、内側カップ１１および外側カップ１２が最初に合致係合された時点における各カップの側壁の図である。間隙１１０は、外側カップ１２と内側カップ１１との間の空間である。内側カップ１１および外側カップ１２が結合されるときに排除される空気は、通気溝１００を通過した後で間隙１１０を介して流出する。間隙１１０は、内側および外側カップ間の空気が、内側および外側カップを結合するに必要な時間内で十分に排除され且つ通気溝１００を介して流出し得るべく十分に大寸である。同時に一実施例において間隙１１０は、重ね成形リングを形成すべくプラスチックが射出される領域１２０において重ね成形リングが成形される時点に先立ち、内側および外側カップの本来的収縮の間において該間隙が閉じる如く十分に小寸である。間隙１１０は重ね成形リングのためのプラスチックを射出する前に十分に閉じることにより、空気間隙２０内にプラスチックが流入するのを回避することで、カップの断熱特性に対する不都合な影響を回避せねばならない。一実施例において間隙１１０の開きは、約１．５乃至約３ｍｍ、約２乃至約２．５ｍｍもしくは約２．２ｍｍである。
【００１４】
図９Ａおよび図９Ｂは外側カップの壁厚より大きな厚みを有する該外側カップの底部外側縁部における湾曲領域３００と外側カップの底部内側縁部における湾曲領域のノッチ３４０とを示す本発明の別実施例の垂直破断図である。図９Ａは小寸半径３１０および大寸半径３２０を示すべく内側カップが外側カップに挿入されたカップ・アセンブリの破断図であり、一実施例においてノッチ３４０は約０．５０８ｍｍ乃至約１．５２４ｍｍ（約０．０２乃至約０．０６インチ）の小寸半径３１０および約２．５４ｍｍ乃至約７．６２ｍｍ（約０．１乃至約０．３インチ）の大寸半径３２０を有する。図９Ｂは、外側カップの壁厚より大きな厚みを有する該外側カップの底部外側縁部におけるノッチ３４０および湾曲領域３００を示す上記二重壁カップ・アセンブリの一部の拡大破断図である。別実施例において、小寸半径３１０は約０．７６２ｍｍ（約０．０３インチ）であり且つ大寸半径３２０は約５．０８ｍｍ（約０．２インチ）である。
【００１５】
図３に示された実施例において内側カップ１１は成形型の“雄”部分上に在り且つ外側カップ１２は成形型の“雌”部分上に在る。これらの成形型部分の故に、成形型内に内側および外側カップが在る間、（カップをテーブル上に着座させて図１の如く配向されたときに）内側カップ１１は本来的に下方向に収縮し且つ（カップをテーブル上に着座させて図１の如く配向されたときに）外側カップ１２は本来的に上方向に収縮する。故に一実施例において本発明は、成形型内に在る間に且つ重ね成形リングのためのプラスチックの射出に先立ち内側カップ１１および外側カップ１２が本来的に収縮するときに生じる本来的収縮であって間隙１１０が塞がるサイズを決定する本来的収縮を利用する。
【００１６】
図５Ｃは、外側カップ１２上の隆起部１０５を備えた更なる実施例を示している。隆起部１０５は外側カップ１２の頂縁部に十分に接近して配置されることで上向きの収縮力を抑制することにより、外側カップ１２が成形型内に在るときに外側カップ１２の上方向の収縮を最小化する。故に間隙１１０は本質的に、内側カップ１１が下方向に収縮するときに閉じられる。隆起部１０５の箇所は、外側カップの収縮の増大もしくは減少が所望されるか否かに依存していずれの方向にも移動され得ることは理解される。
【００１７】
図２Ａおよび図２Ｂは、図１の別実施例の拡大部分である。詳細には図２Ａは、５倍に拡大された内側および外側カップの側壁の一部である。図２Ｂは、約１２倍に拡大された内側および外側カップの側壁の一部である。これらの図は、内側カップの“成形部分”を有する側壁の一部を詳細に示すと共に、外側カップ１１および内側カップ１２を相互に保持するに十分な力を提供する一実施例にすぎない。この実施例において内側カップの“成形部分”は以下の要素の内のひとつ以上を備える：（ａ）一個以上の径方向リブ２５；（ｂ）複数の垂直リブ２６；および、（ｃ）一個以上の襞（ひだ）部２７。上記に列挙された“成形”部分の機能から逸脱することなく、これらの部分と同等の構造が用いられ得ることは理解される。
【００１８】
一例において径方向リブ２５は、箇所２２の下方にて側壁１６上に配置される。側壁１６の直径の回りにて円周方向に、一個以上のリブが延在する。更に別の実施例において側壁１６上には、一方は垂直リブ２６の上方に載置されて他方は垂直リブ２６の下方に載置された２個のリブが配置される。一例において上記リブは三角形状であり、（ａ）三角形の頂点は２つのカップが組み合わされたときに外側カップの側壁１３と接触し、（ｂ）三角形の高さは約０．２乃至約０．４ｍｍの範囲、より詳細には約０．３ｍｍであり、且つ、（ｃ）三角形の幅は約１乃至約３ｍｍの範囲、より詳細には約２ｍｍである。上記径方向リブは、内側カップが外側カップから引き抜かれるのを、外側カップの内側面に対する圧縮および／または摩擦嵌合に依り防止するのを支援する。
【００１９】
別の例において複数の垂直リブ２６は、側壁１６の外側面に接続されると共にカップ１０の軸心方向長さに沿い延在する。典型的に、各リブ２６は側壁１６の外側面の回りに均一に分布されると共に、均一に離間された一連の間隙を各リブ２６間に画成する。一例において各リブは近傍のリブから、間隙幅として知られる所定距離（たとえば約２乃至約３ｍｍ）だけ離間される。特定例において各垂直リブは三角形状であり、（ａ）三角形の頂点は２つのカップが組み合わされたときに外側カップの側壁１３と接触し、（ｂ）三角形の高さは約０．２乃至約０．４ｍｍの範囲、より詳細には約０．３ｍｍであり、且つ、（ｃ）三角形の幅は約１乃至約３ｍｍの範囲、より詳細には約２ｍｍである。上記垂直リブの長さは所望の用途に対して選択され得るものであり、ひとつの用途においては約５乃至約１５ｍｍの範囲である。上記垂直リブは、上記容器に対してカバーが回転により着脱されるときに生ずる回転力の減少を支援することにより、内側カップが外側カップから引き抜かれるの防止する。上記垂直リブは外側カップの内壁を、外側カップの内側面の表面に対して圧縮嵌合により接触させる。
【００２０】
更に別の例において、箇所２２の下方にて側壁１６上には一個以上の襞部２７が配置される。該襞部は、側壁１６の直径の回りにて円周方向に延在する。更に別の実施例においては、両者ともが垂直リブ２６および径方向リブ２５の下方に配置された２個の襞部が配置される。一例において上記襞部は頂点が切断された三角形状であり、（ａ）三角形の切断頂点は２つのカップが組み合わされたときに外側カップの側壁１３と接触し、（ｂ）三角形の高さは約１乃至約１．５ｍｍの範囲、より詳細には約１．２ｍｍであり、且つ、（ｃ）三角形の幅は約０．２乃至約０．６ｍｍの範囲、より詳細には約０．４ｍｍである。図２Ａに示された如く上記襞部は、気密密閉を形成すべく十分に可撓（たとえば変形可能）である様に設計される。一実施例においては、上記襞部の所望可撓性を達成すべくプラスチックに対して所望量のエラストマが添加され得る。
【００２１】
図２Ｂに示された実施例においてカップ１１および１２が相互に挿入されたときに２つのカップの相対寸法は、箇所１５の下方の接触領域１９にて内側カップ１２の側壁１６上の成形部分（２５、２６、２７）が外側カップ１１の内側を押圧し、箇所１５は底壁部分２２に接触し且つ底壁部１７は外側カップ１１の底壁部１４に接触しない如きものである。
【００２２】
一実施例において本発明は、“幼児用溢流防止カップ”として知られるべく幼児による溢流を最小化するカバーを含むカップに対して設計され得る。“溢流防止”という表現は、傾斜されたり逆さまにされたときに溢流を最小化するカバーおよび飲み口を備えたカップが幼児により使用されることを意味するが、傾斜されたり逆さまにされたときにカップが漏出を防止することを意味するのでないことは理解される。これらの“溢流防止カップ”は典型的に、５歳未満の幼児により使用される。従来、これらのカップは、高密度ポリエチレン（“ＨＤＰＥ”）により射出成形されると共に、カップ本体と着脱可能な螺着頂部もしくは同等の蓋部とから構成される。更に、これらのカップは典型的に、（１）１７７ｍｌ（６オンス）・カップおよび（２）２６６ｍｌ（９オンス）・カップという２つのカップサイズで販売される。１７７ｍｌ（６オンス）・カップは典型的に約１０１．６ｍｍ（約４インチ）高さでありかつ５７．１５ｍｍ（２．２５インチ）の蓋部直径を有する。２６６ｍｌ（９オンス）・カップは典型的に約１５２．４ｍｍ（約６インチ）高さであると共に１７７ｍｌ（６オンス）・カップと同一の蓋部直径を有する。上記蓋部は典型的に頂部に飲み口を有し、該箇所にて幼児は液体内容物に対してアクセスし得る。
【００２３】
一実施例においては蓋部の下側のバルブが、飲み口から液体が漏出するのを実質的に防止し得る。本発明と共に用いられ得るバルブの例としては、限定的なものとしてで無く、米国特許第５，０７９，０１３号、米国特許第５，５４２，６７０号、再発行米国特許第３７，０１６号および米国特許第６，０５０，４４５号が挙げられるが、それらは参照として本明細書中に組み込まれる。使用に際して幼児は典型的に、自身の唇部を上記飲み口の回りに載置してカップを傾斜し、液体体積を吸引する。“溢流防止カップ”は生鮮液体（たとえばミルク）を収容し得ることから、市場にはカップの断熱品質を改善する要望が在る。壁厚は均一構成であると共に、カップ・サイズに依存して約１乃至約１．５ｍｍの範囲、より詳細には約１．３ｍｍの厚みである。
【００２４】
より詳細には幼児用“溢流防止カップ”の一実施例においてカップは、着脱式にキャップを該カップ上に取付けるべく外部螺条形成された上端部を有する標準容器である。上記キャップは、垂下カラーを備えた実質的に平坦な頂部を有する。上記カラーは、上記カップの螺条形成上端部に螺着係合され得る内側螺条を有する。カラーは、上記螺条と同心的に且つ該螺条の内側にて上記キャップの円周方向に延在する内側フランジを含む。上記内側フランジはワッシャ状密閉リングを受容する凹所を形成するが、該リングは上記カップの上側縁部に密閉的に係合することでキャップとカップとの間を密閉し得るものである。上記ワッシャ状密閉リングは、所望であれば排除され得る。これに加え、上記キャップの頂部は概略的に円形を有し得ると共に、その一側からは飲み口が上方に突出する。上記飲み口はキャップと一体的に形成されると共に、該飲み口の外方突出尖端へと収束する概略的に弧状の前後壁部を含む。一例において上記尖端は一個以上の離間開口を含み得るが、そのサイズおよび面積は若年のユーザに対して適切な流体流を提供すべく選択される。別の例においては上記飲み口の底部から下方に向けて、円筒状もしくは中太円筒状の管状フランジが延在し得る。使用に際して上記カバーは、協働螺条により上記容器の頂部に螺着される。
【００２５】
図４Ａ乃至図４Ｃならびに図５Ａおよび図５Ｂは、幼児用“溢流防止”カップのひとつの特定実施例である。これらの図に示された寸法は例示的にすぎず、幼児用“溢流防止”カップの実施例をこれらの特定寸法に限定することを意味しないことは理解される。これらの図は、幼児用“溢流防止”カップで用いられる寸法の一例を示している。更に“溢流防止”カップ・アセンブリの寸法は、（ａ）幼児がカップを十分に把持し得る如き典型的な幼児の手のサイズによる外側カップの最大外側直径、（ｂ）液体を収容するときにカップが容易には転倒しない様なカップの最大高さ、および、（ｃ）カップの流体体積（たとえば１７７ｍｌまたは２６６ｍｌ（６または９オンス）・カップ）を満足する内側カップの最小内側直径、に対して制限され得ることは理解される。これらの寸法が特定されたなら、内側カップの外径と外側カップの内側カップとの間における“空気”間隙の寸法は、固定範囲内に限定される。
【００２６】
本発明の容器は任意の種類の食品と共に用いられ得ることを理解すべきである。“食品”という語句は、任意の固体食品、粉末食品、液体食品（たとえばスープ）ならびに高温飲料および低温飲料を包括的に包含すべく用いられる。ポリマ性カップ１０は、高温に対して良好な強度および抵抗性を示す種々の材料で作成され得る。これらの材料はまた、電子レンジにより生成されるエネルギにも委ねられ得る。たとえば、ポリプロピレンもしくは高密度ポリエチレンが使用され得る。もしカップ１０の用途がヨーグルトもしくはアイスクリームなどの低温食品を収容する断熱容器におけるものであれば、上記ポリマ性カップは、破砕のリスクなしで冷凍に対して良好な耐性を提供する高密度ポリエチレンもしくは共重合体ポリプロピレンからも作成され得る。上記断熱容器はまた、スープ、チリ（ｃｈｉｌｉ）、高温飲料、パスタなどの様に提供する前に加熱を要する食品も収容し得る。上記断熱容器はまた、アイスクリーム、ヨーグルト、冷凍フルーツおよび低温飲料などの低温食品に対しても使用され得る。
【００２７】
本発明の容器アセンブリを形成すべく用いられ得る適切なプラスチックの例としては、限定的なものとしてで無く、ポリプロピレンおよびポリエチレン、ポリイソプレン、ポリブタジエン、ポリブテンなどのポリオレフィン、ポリシロキサン、ポリカーボネート、ポリアミド、エチレン−酢酸ビニル共重合体、エチレン−メタクリレート共重合体、ポリ（塩化ビニル）、ポリスチレン、ポリエステル、ポリ無水物、ポリアクリロニトリル、ポリスルホン、ポリアクリル酸エステル、アクリル、ポリウレタンおよびポリアセタール、またはそれらの共重合体もしくは混合物などの熱可塑性プラスチックが挙げられる。
【００２８】
別実施例においては上記容器に対し、良好な気体遮断機能を有する合成樹脂材料（以下においては“気体遮断樹脂”と称される）、特にＯ２、Ｎ２およびＣＯ２に対して膜材料として０．１ｇ／ｍ２／２４時間／気圧より小さな気体透過速度（ＡＳＴＭ Ｚ １４３４−５８）を有する樹脂が採用され得る。斯かる樹脂の例としては、ポリエチレン・テレフタレート、ポリブチレン・テレフタレートおよびポリエチレン・ナフタレートなどのポリエステル、ならびに、ポリアミド、エチレン・ビニル・アルコール、ポリ塩化ビニリデン、ポリアクリロニトリル、ポリビニル・アルコールなどの種々の樹脂が挙げられる。更に上記容器アセンブリに対しては、耐熱性、耐湿性（水蒸気透過に対する抵抗の割合）を有すると共に機械的強度を備えた合成樹脂（以下においては“耐湿性樹脂”と称する）、特に、１００℃より高い熱変形温度による耐熱性（ＡＳＴＭ ６４８）および５０ｇ／ｍ２／２４時間より小さな水蒸気透過速度（ＪＩＳ Ｚ ０２０８）を有する合成樹脂が採用され得る。この種の樹脂の例としては、ポリプロピレン、耐熱で耐湿性のポリカーボネートが挙げられる。
【００２９】
また選択され得るプラスチックの特定種類は少なくとも部分的に、材料に対して低い温度係数を有するポリマに基づき得ることも理解される。これに加え、内側および外側カップの壁部の実際の厚みもまた少なくとも部分的に、熱損失に対する構造の時間的感度に基づき得る。故に、材料が厚寸であるほど、熱損失が開始する以前の時間は長くなる。
【００３０】
本発明の断熱容器は多くの手法で製造され得る。図３には、本発明の断熱容器が製造され得るひとつの手法が示される。一実施例において上記内側および外側カップは同一の成形型アセンブリ内で形成されると共に、材料が完全に硬化する前にまたは材料が完全に硬化した後に組立てられる。“内側／外側カップ用プラスチック射出工程”と称される工程（１）において、内側カップ（図３における上側成形型）および外側カップ（図３における下側成形型）は同一工程において成形型内で形成される。上記内側／外側プラスチック射出工程に対しては、習用のプラスチック射出成形技術が使用され得る。工程（２）において、成形型が開かれると共に内側カップに対応する成形型断片は外側カップに対応する成形型断片と整列される。各成形型が開かれた後に工程（２）で各成形型を整列するひとつの方法においては、内側カップを含む成形型もしくは外側カップを含む成形型を当該他方の成形型断片と整列すべく移動するために、油圧または気圧シリンダが使用され得る。工程（３）においては各カップが合致係合する（すなわち内側カップが外側カップに挿入されまたは外側カップが内側カップ上に被せられる）が各カップ間には“空気”間隙２０が維持される如く、成形型が十分に閉じられる。更に、選択的な処理手順において工程（３）はまた、内側および外側カップが完全に硬化する前または各カップが完全に硬化した後にカップ・アセンブリに対して“重ね成形リング”３０が装着され、成形型の境界面もしくはその近傍にプラスチックの玉縁および／または層が射出され、（たとえば箇所１５、２２の領域にて）内側および外側カップが合致係合することで箇所１５および２２における内側および外側カップの各当接部間の空間を更に密閉する、というプロセスも含み得る。図５Ｂには、重ね成形リング３０の例が示される。故に、リングが完全に硬化した後で該リングはカップに対して収縮嵌装を形成する。引き続き工程（４）において各成形型は開かれ、本発明の複数片式断熱カップが成形型から排出される。適切な排出手段の例としては限定的なものとしてで無く、放出デバイス（ｐｏｐ ｏｆｆ ｄｅｖｉｃｅ）および同等のデバイスが挙げられる。全体的なサイクル時間は約２０乃至約４０秒、別実施例においては約２５乃至約３５秒の範囲であり得る。この方法を採用することにより、プラスチックが冷えるときの内側および外側カップの収縮は更に効率的な内側および外側カップの収縮に帰着し得る。工程（２）においては成形型の“並進”動作（すなわち下方もしくは上方移動）ではなく、一方もしくは両方の成形型が“回転”動作（すなわち円形動作）で移動され得ることは理解される。
【００３１】
上述されると共に図３に詳細に示された上記方法の一実施例において、内側カップは材料が完全に硬化する前に外側カップに挿入される。また別実施例において上記重ね成形リングは、内側および外側カップの材料が完全に硬化する前にカップ・アセンブリに装着される。一例において上記重ね成形リングは、内側および外側カップが成形型内に在る間に装着される。別の例において上記リングは、カップ・アセンブリが成形型から排出された後であるが材料が完全に硬化する前に装着される。
【００３２】
別実施例においては、カップ・アセンブリが成形型内に在る間（たとえば工程２および３の間）かつ上記リングをカップ・アセンブリに装着する前に内側および外側カップ間の間隙には負圧（たとえば吸引）が付与され得る。図６は、負圧管２１０を載置する一実施例を示している。図６は、負圧管２１０が外側カップのキャビティの頂部に取付けられることを示している。図３に示されると共に上記で論じられた方法において負圧管２１０は、内側および外側カップ間の空気であって内側および外側カップを結合するに必要な時間内に十分に排除されて通気溝１００を介して流出すべき空気を吸引するに十分なサイズである。これと同時に、負圧管２１０のノズルの箇所に配置されたプラスチックが真空管２１０を介して偶発的に吸引されない様に、真空管２１０および対応負圧は十分に小さくされねばならない。故に指針としては、負圧のレベルは用いられるプラスチックのメルトフローインデックスより小さくされねばならない。また一実施例においては内側および外側カップの間の間隙に対して溝により負圧を掛けた後、この溝はプラスチックにより充填される。図６はまた、重ね成形リング用射出ノズル２００の配置の例も示している。
【００３３】
以下の内容は、ＨＤＰＥにより作成されるカップに対して図３に示された方法のプロセス条件の特定例である。これは例示的条件にすぎないことから本発明の限定を意味しないことは理解される。過程（１）は次の内容から成る：成形型は閉じられ；内側および外側カップ用の各成形型内にはプラスチックが射出され；且つ、プラスチックは各成形型を開く前に冷却される。射出シリンダは約２１０乃至２３０℃で作動する。射出圧力は約７０乃至８０バール、より詳細には７３バールである。射出速度は約３０ｍｍ／秒である。射出時間は約４秒である。過程（２）は、成形型を開く段階と、内側および外側カップが整列される如く成形型を移動する段階と、成形型を閉じる段階とを備える。上述の如く、閉じ操作の間においては真空バルブが開成されると共に上記負圧管を介して負圧が引かれる。過程（３）および（４）は次の内容から成る：重ね成形リングのためのプラスチックが射出され；成形型が開かれ；カップ・アセンブリが排出され；且つ、各成形型は再び工程（１）に対して準備されるべく再整列される。重ね成形に対する射出圧力は約３５乃至４０バール、より詳細には３８バールである。射出速度は約２５ｍｍ／秒である。射出時間は約５秒である。成形型を開く前の冷却時間は約６秒である。故に過程（１）乃至（４）に対する全体的なサイクル時間は約２５乃至約３５秒、より詳細には約３１秒である。サイクルの最後においては習用の射出成形プロセスにより実施されるのと同様に、次のサイクルに先立ち各成形型は水バルブにより冷却されると共に射出バルブは送風により浄化されることは理解される。
【００３４】
更に別の実施例において、カップ・アセンブリに装着される上記リングは該カップ・アセンブリの材料とは異なる材料から成り得る。たとえば上記リングは、カップ・アセンブリの材料よりもエラストマの量が多いプラスチックから成り得る。更なる実施例において上記リングは、内側および外側カップ間の間隙においてカップ・アセンブリの“内側”に射出され得る。
【００３５】
“材料が完全に硬化する前に”という表現は、（ａ）キャップ・アセンブリはその形状を保持するに十分な剛性を有すると共に損傷なしで移動され；（ｂ）カップ・アセンブリとリングとの間の密閉表面は必要な漏出防止密閉を構成すべく相互に合致するに十分なほど温かい様に、プラスチック材料が該材料のガラス転移温度（“Ｔｇ”）と融点（“Ｔｍ”）との間の温度に在ることを意味する。Ｔｇは、それ以下では熱可塑性プラスチックがガラスの様に挙動する（すなわち材料は完全に硬質で脆弱である）という温度である。Ｔｇ以上にて、プラスチックはガラスの様に強力でも硬質でもなく、脆弱でもない。最後にＴｍ以上で、プラスチックは流体溶融物である。熱可塑性プラスチックがＴｍからＴｇへと冷えるとき、それは収縮して剛性が高まるが−−これは“硬化”として公知のプロセスである。プラスチック材料がＴｇとＴｍとの間の温度に在るときにそれは折曲可能／形状適合可能状態に在り、すなわち完全に硬質でなく、もちろん、Ｔｍにて生ずる如き流体状態でもない。ＴｍおよびＴｇの値は、市販プラスチック材料に対して広く公表されている。夫々の種類のプラスチックがそれ自体のＴｇおよびＴｍ値を有し得ることは理解される。
【００３６】
図３に示されたプロセスは本発明の断熱容器を製造する唯一の方法ではないことから、図３に示された方法は本発明を実施するひとつの方法を例示すべく示されるにすぎないことも理解される。たとえば上記容器は他の習用の成形プロセスで製造され得ると共に、別実施例においては米国特許第４，７８３，０５６号および米国特許第４，８１２，１１６号に夫々開示されたのと同様な成形型に従い成形され得る。更なる実施例において上記容器は、米国特許第５，７２３，０８５号に従い製造され得る。これらの特許の開示内容は参照として本明細書中に組み込まれる。上記容器は、材料が完全に硬化する前に成形型内でもしくは成形型の外側で組立てられ得る。別の例において上記容器は、一段階以上の成形操作で製造されると共に、材料が完全に硬化した後で組立てられ得る。別実施例において上記リングは、それらの開示内容は参照として本明細書中に組み込まれるというこれらの特許に開示された如く各カップが成形された後で装着され得る。
【００３７】
別実施例において上記容器は、当該両区画間に配設された遷移区画を備えた下側の小径区画および上側の大径区画を有し得る。一例において上記小径区画は習用の高温用カップのそれに類似した直径であることから、上記容器は斯かるカップを受容すべく設計されたカップ・ホルダ内に容易に受容され得る。上記大径上側区画および小径下側区画を用いることで、斯かるカップ・ホルダは適切に用いられると共に容器の容量は比較的に大きいままとされ得る。
【００３８】
本発明の容器アセンブリは、室温および冷蔵温度の両方における高い耐衝撃性；高い断熱特性；および、皿洗い機に対する優れた耐性；などの優れた特性を有する。以下におけるのは、本発明の容器アセンブリの優れた特性を例証すべく該容器アセンブリに関して行われた一連の試験である。
【００３９】
Ａ）蓋部とカップ・アセンブリとの間における嵌装：
この試験は、カップ上に蓋部を有する容器に対して行われる。たとえば幼児用“溢流防止”カップに対し、蓋部は自身に対して成形された飲み口を有する。カップに対して蓋部が回転により“円滑に”着脱されるか否かを決定すべく試験されたが、蓋部を装着するに必要なトルクは約２５（±５）インチ／ポンドであった。本発明の容器アセンブリに対する蓋部は、回転により“円滑に”離脱されることが見出された。
【００４０】
Ｂ）落下試験：
この試験は、カップ上に蓋部を有する容器に対して行われる。たとえば幼児用“溢流防止”カップに対し、蓋部は自身に対して成形された飲み口を有する。カップには室温の水道水が１０オンス充填されて蓋部が確実に装着された後（たとえば幼児用“溢流防止”カップに関して蓋部に付与されるトルクは２５インチ／ポンドの力であり）、容器アセンブリは蓋部もしくはカップの亀裂もしくは破壊、またはカップ／蓋部の分離に関して試験された。上記容器アセンブリは１．３７１６ｍ（５４インチ）の高さから１０回落下された。上記容器アセンブリは以下の様式で落下されねばならない：
飲み口から直接的に２回；
蓋部の縁部から直接的に２回；
側部から直接的に２回（カップは水平である）；
カップ底部から直接的に２回；
縁部もしくは底部から直接的に２回。
【００４１】
本発明の二重壁カップ・アセンブリは、優れた衝撃強度を有することが見出された。たとえば幼児用溢流防止カップが上記の試験方法により試験されたとき、カップ・アセンブリは破壊も亀裂形成もしなかった。
【００４２】
以下の試験方法は、幼児用“溢流防止”カップ以外の容器に対して採用されるべきものである。この試験方法は、室温（２０℃乃至２１．１℃（６８°Ｆ乃至７０°Ｆ））および冷蔵（３．３℃乃至４．４℃（３８°Ｆ乃至４０°Ｆ））後における製品の衝撃強度を決定すべく使用される。
１）装置
１．最小長さが１．５２４ｍ（６０インチ）である測定テープ。
２．タイル被覆セメント床部。
３．製品サンプルおよび附属品構成要素。
４．水供給源。
２）試験方法：室温衝撃強度試験：
１．タイル被覆セメント床部から壁もしくは他の表面上に１．３７１６ｍ（５４インチ）の高さを測定してマークする。
２．推奨された容量まで室温（２０℃乃至２１．１℃（６８°Ｆ乃至７０°Ｆ））の水により製品を充填する。
３．試験されている製品と共に通常的に用いられる附属品構成要素を用いてアセンブリを完成する。
４．試験される構成要素がセメント床部に臨む如く、組立てられた製品に水を充填して保持する。タイル被覆セメント床部から試験される構成要素の底部までの高さは１．３７１６ｍ（５４インチ）とされねばならない。
５．試験される部材がタイル被覆セメント床部に衝当する如く、製品を解放する。
６．亀裂に関して試験構成要素を検査する。もし亀裂（破損）が生じなければ、同一の組立て製品に対して１０回または破損が生ずるまで落下手順を反復する。破損の発生に対し、漏出の存在は必要でない。
７．破損するまでの落下の回数とサンプルに対するキャビティ数（ｃａｖｉｔｙ ｎｕｍｂｅｒ）とを記録する。
３）試験方法：冷蔵落下試験：
この処理手順は、以下の点を除き室温方法と同一である。
１．組立てられた製品は試験に先立ち最小限でも４時間冷蔵される必要がある。
２．落下高さは１．３７１６ｍ（５４インチ）の代わりに１．０１６ｍ（４０インチ）である。
３．落下回数は１０回の代わりに５回である。
【００４３】
本発明の二重壁カップ・アセンブリは、優れた衝撃強度を有する。たとえば該カップ・アセンブリは、上記の各試験方法に委ねられても破壊されず亀裂も形成しない。
【００４４】
Ｃ）カップ・アセンブリの断熱機能（以下においては“カップ断熱試験方法”と称する）：
１）装置：
（１°Ｆの精度で°Ｆ／℃を測定し得る）デジタル温度計
発泡ポリスチレン・カップ
ストップウォッチ
６０％ＲＨ±４％および８０°Ｆ±２°Ｆで制御される環境チャンバ
（水を３．３℃（３８°Ｆ）まで冷却し得る）冷蔵室
（結露を観察するための）紙タオルもしくは厚紙
３８°Ｆ±０．５°Ｆまで冷却された水
氷
製氷トレイ
体積測定カップ（６０ｍｌ±１ｍｌまで測定）
冷凍機
２）試験方法
氷を作成すべく冷凍機内で製氷トレイを使用する。角氷が１個あたり１４ｇとなるに十分である如くトレイを満たす。実験を行う前に氷を２４時間冷凍する。氷がカップ内に載置される前に溶けないように、氷を確実に冷蔵室の基部に置く。
実験を行う前に、水を冷蔵庫または環境チャンバ内で２４時間に亙り３．３℃（３８°Ｆ）まで冷却する。
実験を行う１時間前までに、環境チャンバを少なくとも２４時間に亙り２６．７℃（８０°Ｆ）および６０％ＲＨに設定する。
上記チャンバ内で上記トレイ上に厚紙もしくは紙タオルの断片を載置する。
実験が行われるサンプルの個数に整合すべく十分な個数の温度計および発泡ポリスチレンカップを取出す。
１分未満内に、冷却水および角氷を取り出す。試験が始まる前に氷が溶けたり水が暖まらないのを確実にする。試験される各カップに対しては（２分より小さくされるべく）可及的に迅速に、付加された３オンスの水ごとに２５ｇの氷の割合で、氷および水が加えられる。試験される全てのカップに対し、２８ｇの氷（約２個の角氷の重量）および３．３６オンスの水を加える。
試験の開始時刻を記録し、ストップウォッチを始動する。
全ての水および氷が各サンプルに加えられた後、各カップを発泡ポリスチレンカップで覆う。発泡ポリスチレンカップは、該発泡ポリスチレンカップの底部が上を向く様に倒立して上記カップ上に載置されねばならない。温度計を用いて発泡ポリスチレンカップの底部に孔を開け、氷水内に温度計を挿入する。
結露に関してカップを観察し、結果を記録する。結露の最初の滴下が現れた時間、結露の最初の滴下が厚紙もしくはタオルに衝当した時間、厚紙もしくはタオル上に全体的湿潤リングが形成されるまでの時間を記録する。
試験される全てのカップにおいて１０分毎に温度を記録し、結果を記録する。
上記試験は、カップ内の水の温度が２１．１℃（７０°Ｆ）に到達したときに完了する。
全ての結果を記録する。
【００４５】
本発明の二重壁カップ・アセンブリは、優れた断熱機能を有することが見出された。たとえば上記幼児用溢流防止カップが上記試験（すなわちカップ断熱試験方法）により試験されたとき、該カップ・アセンブリは同等の単一壁カップ（たとえば二重壁カップの壁部と同様の壁厚、二重壁カップと同様の材料および同様のサイズを有するカップ）と比較して２１．１℃（７０°Ｆ）に到達するために少なくとも１００分（より詳細には１１０分超）を要した。別の例において、上記幼児用溢流防止カップが上記試験（すなわちカップ断熱試験方法）により試験されたとき、該カップ・アセンブリは同等の単一壁カップ（たとえば二重壁カップの壁部と同様の壁厚、二重壁カップと同様の材料および同様のサイズを有するカップ）と比較して２１．１℃（７０°Ｆ）に到達するために少なくとも２倍（より詳細には約３倍）の時間を要した。
【００４６】
Ｃ）皿洗い機試験
この試験方法は、容器アセンブリに対する食器洗い水サイクルの影響を評価すべく用いられる。
１）装置
Ａ）Ｄｉｓｈｗａｔｅｒ（Ｋｅｎｍｏｒｅ社のＵｌｔｒａ Ｗａｓｈ皿洗い機）
Ｂ）Ｃａｓｃａｄｅ社の粉末洗剤（標準強度）
Ｃ）Ｄｉｓｈｗａｔｅｒ用ネットバッグ（Ｎｅｔ Ｂａｇ）（小さな洗浄対象物に対するもの）
２）試験方法
１．皿洗い機内の棚部に容器を置く。
２．皿洗い機の洗剤入れ物にＣａｓｃａｄｅ社の粉末洗剤を充填する。
３．皿洗い機を通常サイクルに設定し、完全サイクル時間（洗浄および乾燥）で皿洗い機を作動させる。サイクルの完了時に、皿洗い機の扉を開けて洗浄対象物を更に１０分だけ冷ます。
４．段階１および２をＸサイクルだけ反復する。
５．全てのサイクルが完了した後、機能試験を進める前に全ての洗浄対象物を最短でも１時間、室温にて空気中で冷ます。
本発明の二重壁カップ・アセンブリは、この試験に合格した。
【図面の簡単な説明】
【図１】
本発明の一実施例の垂直断面図である。
【図２】
図２Ａは、本発明の一実施例の部分的拡大垂直断面図である。
図２Ｂは、本発明の一実施例の内側および外側カップの境界面の部分的拡大垂直断面図である。
【図３】
本発明の一実施例に係るカップ・アセンブリを形成するプロセスの概略図である。
【図４】
図４Ａ、図４Ｂおよび図４Ｃは本発明の別実施例の垂直断面図であり、図４Ａは外側カップの断面図であり、図４Ｂは内側カップの断面図であり且つ図４Ｃは内側カップが外側カップに挿入されたカップ・アセンブリの断面図である。
【図５】
図５Ａおよび図５Ｂは重ね成形リングを例示する本発明の別実施例を示しており、図５Ｂは概略的に図５Ａの２−２線に沿うカップ・アセンブリの部分的拡大垂直断面図である。
図５Ｃは、概略的に図５Ａの３−３線に沿う本発明の一実施例のカップ・アセンブリの部分的拡大垂直断面図である。
【図６】
本発明の一実施例の工程３における成形型内の内側および外側カップの垂直断面図である。
【図７】
内側カップの頂部断面図にて示された通気溝の一実施例を示す図である。
【図８】
図８Ａは溝形成通気口を示す本発明の一実施例の垂直断面図であり、かつ、図８Ｂは溝形成通気口を示す部分的拡大垂直断面図である。
【図９】
図９Ａおよび図９Ｂは外側カップの壁厚より大きな厚みを有する該外側カップの底部外側縁部における湾曲領域と外側カップの底部内側縁部における湾曲領域のノッチとを示す本発明の別実施例の垂直断面図であり、図９Ａは内側カップが外側カップに挿入されたカップ・アセンブリの断面図でありかつ図９Ｂは同一内容を示す二重壁カップ・アセンブリの一部の拡大断面図である。
【図３】
2004524882.tif 000003
【国際公開パンフレット】
2004524882.tif 000004
2004524882.tif 000005
2004524882.tif 000006
2004524882.tif 000007
2004524882.tif 000008
2004524882.tif 000009
2004524882.tif 000010
2004524882.tif 000011
2004524882.tif 000012
2004524882.tif 000013
2004524882.tif 000014
2004524882.tif 000015
2004524882.tif 000016
2004524882.tif 000017
2004524882.tif 000018
2004524882.tif 000019
2004524882.tif 000020
2004524882.tif 000021
2004524882.tif 000022
2004524882.tif 000023
2004524882.tif 000024
2004524882.tif 000025
2004524882.tif 000026
2004524882.tif 000027
2004524882.tif 000028
2004524882.tif 000029
2004524882.tif 000030
2004524882.tif 000031
2004524882.tif 000032
2004524882.tif 000033
2004524882.tif 000034
2004524882.tif 000035
2004524882.tif 000036
2004524882.tif 000037
2004524882.tif 000038
2004524882.tif 000039
2004524882.tif 000040
2004524882.tif 000041
2004524882.tif 000042
2004524882.tif 000043
2004524882.tif 000044
2004524882.tif 000045
2004524882.tif 000046
2004524882.tif 000047
2004524882.tif 000048
2004524882.tif 000049
2004524882.tif 000050
2004524882.tif 000051
2004524882.tif 000052
2004524882.tif 000053
2004524882.tif 000054
2004524882.tif 000055
2004524882.tif 000056
2004524882.tif 000057
2004524882.tif 000058
2004524882.tif 000059
2004524882.tif 000060
2004524882.tif 000061
2004524882.tif 000062
2004524882.tif 000063
2004524882.tif 000064
【国際公開パンフレット（コレクトバージョン）】
2004524882.tif 000065
2004524882.tif 000066
【国際公開パンフレット（コレクトバージョン）】
2004524882.tif 000067
2004524882.tif 000068
【手続補正書】
【提出日】平成14年10月31日(2002.10.31)
【手続補正１】
【補正対象書類名】明細書
【補正対象項目名】特許請求の範囲
【補正方法】変更
【補正の内容】
【特許請求の範囲】
【請求項９】
開口端部を有するカップ・アセンブリであって、該カップ・アセンブリは、
（ａ）（ｉ）側壁、頂部および端部を備えると共に熱可塑性プラスチックから形成された外側カップであって、上記端部は底壁部により閉成かつ密閉されると共に上記頂部は開口された外側カップと、（ｉｉ）側壁、頂部および端部を備えると共に熱可塑性プラスチックから形成された内側カップであって、上記端部は底壁部により閉成かつ密閉された内側カップとを備えた二重壁カップ・アセンブリであって、（ｉｉｉ）上記内側カップは、上記外側カップの内側面および該内側カップの外側面の各側壁間に且つ上記外側および内側カップの上記各底壁部間に密閉間隙を生成すべく上記外側カップ内に受容可能に構成される二重壁カップ・アセンブリ、
を備え、
（ｂ）上記密閉間隙内には空気が在り；
（ｃ）当該カップ・アセンブリは自身上に着脱式取付キャップを有する幼児用溢流防止カップの形態であり、上記キャップはその一側から上方に突出する飲み口を有し、該飲み口は上記キャップと一体的に形成されると共に、該飲み口の外方突出尖端へと収束する前後壁部を含み、且つ、
（ｄ）上記二重壁アセンブリは、カップ断熱試験方法により試験されたときに２１．１℃（７０°Ｆ）に到達するために当該カップ・アセンブリが少なくとも約１００分を要する如く十分な断熱機能を提供する、
カップ・アセンブリ。
【請求項１０】
開口端部を有するカップ・アセンブリであって、該カップ・アセンブリは、
（ａ）（ｉ）側壁、頂部および端部を備えると共に熱可塑性プラスチックから形成された外側カップであって、上記端部は底壁部により閉成かつ密閉されると共に上記頂部は開口された外側カップと、（ｉｉ）側壁、頂部および端部を備えると共に熱可塑性プラスチックから形成された内側カップであって、上記端部は底壁部により閉成かつ密閉された内側カップとを備えた二重壁カップ・アセンブリであって、（ｉｉｉ）上記内側カップは、上記外側カップの内側面および該内側カップの外側面の各側壁間に且つ上記外側および内側カップの上記各底壁部間に密閉間隙を生成すべく上記外側カップ内に受容可能に構成される二重壁カップ・アセンブリ、
を備え、
（ｂ）上記密閉間隙内には空気が在り；
（ｃ）当該カップ・アセンブリは自身上に着脱式取付キャップを有する幼児用溢流防止カップの形態であり、上記キャップはその一側から上方に突出する飲み口を有し、該飲み口は上記キャップと一体的に形成されると共に、該飲み口の外方突出尖端へと収束する前後壁部を含み、且つ、
（ｄ）上記二重壁アセンブリは、カップ断熱試験方法により試験されたときに上記外側カップと同一の熱可塑性材料で作成され且つ上記外側カップと実質的に同一のサイズおよび形状である同等の単一壁カップと比較して２１．１℃（７０°Ｆ）に到達するために当該カップ・アセンブリが少なくとも約２倍の時間を要する如く十分な断熱機能を提供する、
カップ・アセンブリ。
【請求項１２】
開口端部を有するカップ・アセンブリであって、該カップ・アセンブリは、
（ａ）（ｉ）側壁、頂部および端部を備えると共に熱可塑性プラスチックから形成された外側カップであって、上記端部は底壁部により閉成かつ密閉されると共に上記頂部は開口された外側カップと、（ｉｉ）側壁、頂部および端部を備えると共に熱可塑性プラスチックから形成された内側カップであって、上記端部は底壁部により閉成かつ密閉された内側カップとを備えた二重壁カップ・アセンブリであって、（ｉｉｉ）上記内側カップは、上記外側カップの内側面および該内側カップの外側面の各側壁間に且つ上記外側および内側カップの上記各底壁部間に密閉間隙を生成すべく上記外側カップ内に受容可能に構成される二重壁カップ・アセンブリ、
を備え、
（ｂ）上記密閉間隙内には空気が在り；
（ｃ）当該カップ・アセンブリは自身上に着脱式取付キャップを有する幼児用溢流防止カップの形態であり、上記キャップはその一側から上方に突出する飲み口を有し、該飲み口は上記キャップと一体的に形成されると共に、該飲み口の外方突出尖端へと収束する前後壁部を含み、
（ｄ）上記二重壁アセンブリは、カップ断熱試験方法により試験されたときに上記外側カップと同一の熱可塑性材料で作成され且つ上記外側カップと実質的に同一のサイズおよび形状である同等の単一壁カップと比較して２１．１℃（７０°Ｆ）に到達するために当該カップ・アセンブリが少なくとも約２倍の時間を要する如く十分な断熱機能を提供し、且つ、
（ｅ）上記二重壁アセンブリは、落下試験法により試験されたときに当該カップ・アセンブリが亀裂形成も破壊もしない様に十分な衝撃強度を提供する、
カップ・アセンブリ。
【請求項１３】
開口端部を有するカップ・アセンブリであって、該カップ・アセンブリは、
（ａ）（ｉ）側壁、頂部および端部を備えると共に熱可塑性プラスチックから形成された外側カップであって、上記端部は底壁部により閉成かつ密閉されると共に上記頂部は開口された外側カップと、（ｉｉ）側壁、頂部および端部を備えると共に熱可塑性プラスチックから形成された内側カップであって、上記端部は底壁部により閉成かつ密閉された内側カップとを備えた二重壁カップ・アセンブリであって、（ｉｉｉ）上記内側および外側カップの側壁厚みは約１．２７ｍｍ乃至約１．５２４ｍｍ（約０．０５乃至約０．０６インチ）であり、且つ、（ｉｖ）上記内側カップは、上記外側カップの内側面および該内側カップの外側面の各側壁間に且つ上記各底壁部間に密閉間隙を生成すべく上記外側カップ内に受容可能に構成され、上記間隙は約１．５２４ｍｍ乃至約２．０３２ｍｍ（約０．０６乃至約０．０８インチ）である二重壁カップ・アセンブリ、
を備え、
（ｂ）上記密閉間隙内には空気が在り；
（ｃ）当該カップ・アセンブリは自身上に着脱式取付キャップを有する幼児用溢流防止カップの形態であり、上記キャップはその一側から上方に突出する飲み口を有し、該飲み口は上記キャップと一体的に形成されると共に、該飲み口の外方突出尖端へと収束する前後壁部を含み、且つ、
（ｄ）上記二重壁アセンブリは、カップ断熱試験方法により試験されたときに２１．１℃（７０°Ｆ）に到達するために当該カップ・アセンブリが少なくとも約１００分を要する如く十分な断熱機能を提供する、
カップ・アセンブリ。
【請求項１４】
開口端部を有するカップ・アセンブリであって、該カップ・アセンブリは、
（ａ）（ｉ）側壁、頂部および端部を備えると共に熱可塑性プラスチックから形成された外側カップであって、上記端部は底壁部により閉成かつ密閉されると共に上記頂部は開口された外側カップと、（ｉｉ）側壁、頂部および端部を備えると共に熱可塑性プラスチックから形成された内側カップであって、上記端部は底壁部により閉成かつ密閉された内側カップとを備えた二重壁カップ・アセンブリであって、（ｉｉｉ）上記内側および外側カップの側壁厚みは約０．７６２ｍｍ乃至約２．０３２ｍｍ（約０．０３乃至約０．０８インチ）であり、且つ、（ｉｖ）上記内側カップは、上記外側カップの内側面および該内側カップの外側面の各側壁間に且つ上記各底壁部間に密閉間隙を生成すべく上記外側カップ内に受容可能に構成され、上記間隙は約１．０１６ｍｍ乃至約２．５４ｍｍ（約０．０４乃至約０．１インチ）である二重壁カップ・アセンブリ、
を備え、
（ｂ）上記密閉間隙内には空気が在り；
（ｃ）当該カップ・アセンブリは自身上に着脱式取付キャップを有する幼児用溢流防止カップの形態であり、上記キャップはその一側から上方に突出する飲み口を有し、該飲み口は上記キャップと一体的に形成されると共に、該飲み口の外方突出尖端へと収束する前後壁部を含み、且つ、
（ｄ）上記二重壁アセンブリは、カップ断熱試験方法により試験されたときに２１．１℃（７０°Ｆ）に到達するために当該カップ・アセンブリが少なくとも約１００分を要する如く十分な断熱機能を提供する、
カップ・アセンブリ。
【請求項１５】
開口端部を有するカップ・アセンブリであって、該カップ・アセンブリは、
（ａ）（ｉ）側壁、頂部および端部を備えると共に熱可塑性プラスチックから形成された外側カップであって、上記端部は底壁部により閉成かつ密閉されると共に上記頂部は開口された外側カップと、（ｉｉ）側壁、頂部および端部を備えると共に熱可塑性プラスチックから形成された内側カップであって、上記端部は底壁部により閉成かつ密閉された内側カップと、（ｉｉｉ）上記外側カップの底部外側縁部において上記外側カップの壁厚より大きな厚みを有する湾曲領域、および、上記外側カップの底部内側縁部の湾曲領域におけるノッチと、を備えた二重壁カップ・アセンブリであって、（ｉｖ）上記内側カップは、上記外側カップの内側面および該内側カップの外側面の各側壁間に且つ上記各底壁部間に密閉間隙を生成すべく上記外側カップ内に受容可能に構成される二重壁カップ・アセンブリ、
を備え、
（ｂ）上記密閉間隙内には空気が在り；
（ｃ）当該カップ・アセンブリは自身上に着脱式取付キャップを有する幼児用溢流防止カップの形態であり、上記キャップはその一側から上方に突出する飲み口を有し、該飲み口は上記キャップと一体的に形成されると共に、該飲み口の外方突出尖端へと収束する前後壁部を含み、且つ、
（ｄ）上記二重壁アセンブリは、カップ断熱試験方法により試験されたときに２１．１℃（７０°Ｆ）に到達するために当該カップ・アセンブリが少なくとも約１００分を要する如く十分な断熱機能を提供する、
カップ・アセンブリ。
【請求項１６】
開口端部を有するカップ・アセンブリであって、該カップ・アセンブリは、
（ａ）（ｉ）側壁、頂部および端部を備えると共に熱可塑性プラスチックから形成された外側カップであって、上記端部は底壁部により閉成かつ密閉されると共に上記頂部は開口された外側カップと、（ｉｉ）側壁、頂部および端部を備えると共に熱可塑性プラスチックから形成された内側カップであって、上記端部は底壁部により閉成かつ密閉された内側カップと、（ｉｉｉ）上記外側カップの底部外側縁部において上記外側カップの壁厚より大きな厚みを有する湾曲領域、および、上記外側カップの底部内側縁部の湾曲領域におけるノッチと、を備えた二重壁カップ・アセンブリであって、上記ノッチは約０．５０８ｍｍ乃至約１．５２４ｍｍ（約０．０２乃至約０．０６インチ）の小寸半径および約２．５４ｍｍ乃至約７．６２ｍｍ（約０．１乃至約０．３インチ）の大寸半径を有し、且つ、（ｉｖ）上記内側カップは、上記外側カップの内側面および該内側カップの外側面の各側壁間に且つ上記各底壁部間に密閉間隙を生成すべく上記外側カップ内に受容可能に構成される二重壁カップ・アセンブリ、
を備え、
（ｂ）上記密閉間隙内には空気が在り；
（ｃ）当該カップ・アセンブリは自身上に着脱式取付キャップを有する幼児用溢流防止カップの形態であり、上記キャップはその一側から上方に突出する飲み口を有し、該飲み口は上記キャップと一体的に形成されると共に、該飲み口の外方突出尖端へと収束する前後壁部を含み、且つ、
（ｄ）上記二重壁アセンブリは、カップ断熱試験方法により試験されたときに２１．１℃（７０°Ｆ）に到達するために当該カップ・アセンブリが少なくとも約１００分を要する如く十分な断熱機能を提供する、
カップ・アセンブリ。
【請求項１７】
開口端部を有するカップ・アセンブリであって、該カップ・アセンブリは、
（ａ）（ｉ）側壁、頂部および端部を備えると共に熱可塑性プラスチックから形成された外側カップであって、上記端部は底壁部により閉成かつ密閉されると共に上記頂部は開口された外側カップと、（ｉｉ）側壁、頂部および端部を備えると共に熱可塑性プラスチックから形成された内側カップであって、上記端部は底壁部により閉成かつ密閉された内側カップと、（ｉｉｉ）上記内側および外側カップの側壁厚みは約０．７６２ｍｍ乃至約２．０３２ｍｍ（約０．０３乃至約０．０８インチ）であり、（ｉｖ）上記外側カップの底部外側縁部において上記外側カップの壁厚より大きな厚みを有する湾曲領域、および、上記外側カップの底部内側縁部の湾曲領域におけるノッチと、を備えた二重壁カップ・アセンブリであって、（ｖ）上記内側カップは、上記外側カップの内側面および該内側カップの外側面の各側壁間に且つ上記各底壁部間に密閉間隙を生成すべく上記外側カップ内に受容可能に構成され、上記間隙は約１．０１６ｍｍ乃至約２．５４ｍｍ（約０．０４乃至約０．１インチ）である二重壁カップ・アセンブリ、
を備え、
（ｂ）上記密閉間隙内には空気が在り；
（ｃ）当該カップ・アセンブリは自身上に着脱式取付キャップを有する幼児用溢流防止カップの形態であり、上記キャップはその一側から上方に突出する飲み口を有し、該飲み口は上記キャップと一体的に形成されると共に、該飲み口の外方突出尖端へと収束する前後壁部を含み、且つ、
（ｄ）上記二重壁アセンブリは、カップ断熱試験方法により試験されたときに２１．１℃（７０°Ｆ）に到達するために当該カップ・アセンブリが少なくとも約１００分を要する如く十分な断熱機能を提供する、
カップ・アセンブリ。
【請求項１８】
開口端部を有するカップ・アセンブリであって、該カップ・アセンブリは、
（ａ）（ｉ）側壁、頂部および端部を備えると共に熱可塑性プラスチックから形成された外側カップであって、上記端部は底壁部により閉成かつ密閉されると共に上記頂部は開口された外側カップと、（ｉｉ）側壁、頂部および端部を備えると共に熱可塑性プラスチックから形成された内側カップであって、上記端部は底壁部により閉成かつ密閉された内側カップとを備えた二重壁カップ・アセンブリであって、（ｉｉｉ）上記内側カップは、上記外側カップの内側面および該内側カップの外側面の各側壁間に且つ上記外側および内側カップの上記各底壁部間に密閉間隙を生成すべく上記外側カップ内に受容可能に構成される二重壁カップ・アセンブリ、
を備え、
（ｂ）上記密閉間隙内には空気が在り；
（ｃ）当該カップ・アセンブリは自身上に着脱式取付キャップを有する幼児用溢流防止カップの形態であり、上記キャップはその一側から上方に突出する飲み口を有し、該飲み口は上記キャップと一体的に形成されると共に、該飲み口の外方突出尖端へと収束する前後壁部と該飲み口の近傍に配置されまたは該飲み口に取入れられたバルブとを含み、該バルブは上記飲み口からの液体の漏出を実質的に防止し、且つ、
（ｄ）上記二重壁アセンブリは、カップ断熱試験方法により試験されたときに２１．１℃（７０°Ｆ）に到達するために当該カップ・アセンブリが少なくとも約１００分を要する如く十分な断熱機能を提供する、
カップ・アセンブリ。
【請求項２９】
当該カップ・アセンブリは前記飲み口の近傍に配置されまたは該飲み口に取入れられたバルブを有し、該バルブは上記飲み口からの液体の漏出を実質的に防止する、請求項９記載のカップ・アセンブリ。
【請求項３０】
当該カップ・アセンブリは前記飲み口の近傍に配置されまたは該飲み口に取入れられたバルブを有し、該バルブは上記飲み口からの液体の漏出を実質的に防止する、請求項１０記載のカップ・アセンブリ。
【請求項３２】
当該カップ・アセンブリは前記飲み口の近傍に配置されまたは該飲み口に取入れられたバルブを有し、該バルブは上記飲み口からの液体の漏出を実質的に防止する、請求項１２記載のカップ・アセンブリ。
【請求項３３】
当該カップ・アセンブリは前記飲み口の近傍に配置されまたは該飲み口に取入れられたバルブを有し、該バルブは上記飲み口からの液体の漏出を実質的に防止する、請求項１３記載のカップ・アセンブリ。
【請求項３４】
当該カップ・アセンブリは前記飲み口の近傍に配置されまたは該飲み口に取入れられたバルブを有し、該バルブは上記飲み口からの液体の漏出を実質的に防止する、請求項１４記載のカップ・アセンブリ。
【請求項３５】
当該カップ・アセンブリは前記飲み口の近傍に配置されまたは該飲み口に取入れられたバルブを有し、該バルブは上記飲み口からの液体の漏出を実質的に防止する、請求項１５記載のカップ・アセンブリ。
【請求項３６】
当該カップ・アセンブリは前記飲み口の近傍に配置されまたは該飲み口に取入れられたバルブを有し、該バルブは上記飲み口からの液体の漏出を実質的に防止する、請求項１６記載のカップ・アセンブリ。
【請求項３７】
当該カップ・アセンブリは前記飲み口の近傍に配置されまたは該飲み口に取入れられたバルブを有し、該バルブは上記飲み口からの液体の漏出を実質的に防止する、請求項１７記載のカップ・アセンブリ。
【請求項４０】
前記内側カップは約１７７ｍｌ乃至約２６６ｍｌ（約６乃至約９オンス）の液体を保持するに十分なサイズとされる、請求項２９記載のカップ・アセンブリ。
【請求項４１】
前記内側カップは約１７７ｍｌ乃至約２６６ｍｌ（約６乃至約９オンス）の液体を保持するに十分なサイズとされる、請求項３０記載のカップ・アセンブリ。
【請求項４３】
前記内側カップは約１７７ｍｌ乃至約２６６ｍｌ（約６乃至約９オンス）の液体を保持するに十分なサイズとされる、請求項３２記載のカップ・アセンブリ。
【請求項４４】
前記内側カップは約１７７ｍｌ乃至約２６６ｍｌ（約６乃至約９オンス）の液体を保持するに十分なサイズとされる、請求項３３記載のカップ・アセンブリ。
【請求項４５】
前記内側カップは約１７７ｍｌ乃至約２６６ｍｌ（約６乃至約９オンス）の液体を保持するに十分なサイズとされる、請求項３４記載のカップ・アセンブリ。
【請求項４６】
前記内側カップは約１７７ｍｌ乃至約２６６ｍｌ（約６乃至約９オンス）の液体を保持するに十分なサイズとされる、請求項３５記載のカップ・アセンブリ。
【請求項４７】
前記内側カップは約１７７ｍｌ乃至約２６６ｍｌ（約６乃至約９オンス）の液体を保持するに十分なサイズとされる、請求項３６記載のカップ・アセンブリ。
【請求項４８】
前記内側カップは約１７７ｍｌ乃至約２６６ｍｌ（約６乃至約９オンス）の液体を保持するに十分なサイズとされる、請求項３７記載のカップ・アセンブリ。
【請求項５３】
当該カップ・アセンブリはポリプロピレン、ポリエチレンおよびポリエステルから成る群から選択されたプラスチックで形成される、請求項４０記載のカップ・アセンブリ。
【請求項５４】
当該カップ・アセンブリはポリプロピレン、ポリエチレンおよびポリエステルから成る群から選択されたプラスチックで形成される、請求項４１記載のカップ・アセンブリ。
【請求項５６】
当該カップ・アセンブリはポリプロピレン、ポリエチレンおよびポリエステルから成る群から選択されたプラスチックで形成される、請求項４３記載のカップ・アセンブリ。
【請求項５７】
当該カップ・アセンブリはポリプロピレン、ポリエチレンおよびポリエステルから成る群から選択されたプラスチックで形成される、請求項４４記載のカップ・アセンブリ。
【請求項５８】
当該カップ・アセンブリはポリプロピレン、ポリエチレンおよびポリエステルから成る群から選択されたプラスチックで形成される、請求項４５記載のカップ・アセンブリ。
【請求項５９】
当該カップ・アセンブリはポリプロピレン、ポリエチレンおよびポリエステルから成る群から選択されたプラスチックで形成される、請求項４６記載のカップ・アセンブリ。
【請求項６０】
当該カップ・アセンブリはポリプロピレン、ポリエチレンおよびポリエステルから成る群から選択されたプラスチックで形成される、請求項４７記載のカップ・アセンブリ。
【請求項６１】
当該カップ・アセンブリはポリプロピレン、ポリエチレンおよびポリエステルから成る群から選択されたプラスチックで形成される、請求項４８記載のカップ・アセンブリ。
【国際調査報告】
2004524882.tif 000069